(57)【特許請求の範囲】
【請求項１】
二芯光伝送路によって他の光通信装置と接続された光通信装置において、
一芯双方向の通信を行う光送受信機から送信された光信号と、前記光送受信機へ送信された光信号と、をそれぞれ逆方向に通過させる一芯光伝送路と、
前記光送受信機から送信されて前記一芯光伝送路を通過した光信号を、前記二芯光伝送路の一方の芯を介して前記他の光通信装置へ送信する送信手段と、
前記二芯光伝送路の他方の芯を介して前記他の光通信装置から前記光送受信機へ送信された光信号を受信し、受信した光信号を前記一芯光伝送路に通過させる受信手段と、
を備え、
前記送信手段は、入力された光信号を波長多重分離し、波長多重分離した各光と、前記光送受信機から送信されて前記一芯光伝送路を通過した光信号と、を波長多重して前記一方の芯へ入力し、
前記受信手段は、前記他方の芯によって送信された光信号を波長多重分離し、波長多重分離した各光を波長多重して出力し、前記波長多重分離した各光に含まれる、前記他の光通信装置から前記光送受信機へ送信された光信号を前記一芯光伝送路へ入力することを特徴とする光通信装置。
【請求項２】
前記受信手段は、前記二芯光伝送路の他方の芯を介して送信された光信号を分岐して前記一芯光伝送路に通過させるとともに、前記光送受信機から送信されて前記一芯光伝送路を通過した光信号を分岐する第１挿入分岐手段であり、
前記送信手段は、前記第１挿入分岐手段によって分岐された光信号を前記一方の芯へ挿入する第２挿入分岐手段であることを特徴とする請求項１に記載の光通信装置。
【請求項３】
前記受信手段は、前記二芯光伝送路の他方の芯を介して送信された光信号を分岐する第１挿入分岐手段であり、
前記送信手段は、前記第１挿入分岐手段によって分岐された光信号を分岐して前記一芯光伝送路に通過させるとともに、前記光送受信機から送信されて前記一芯光伝送路を通過した光信号を前記一方の芯へ挿入する第２挿入分岐手段であることを特徴とする請求項１に記載の光通信装置。
【請求項４】
前記光送受信機から送信された光信号の第１波長と、前記光送受信機へ送信された光信号の第２波長と、は互いに異なる波長であり、
前記一芯光伝送路を通過した第１波長の光信号を分波して前記送信手段に送信させるとともに、前記受信手段によって受信された第２波長の光信号を前記一芯光伝送路に通過させる波長合分波手段を備えることを特徴とする請求項１に記載の光通信装置。
【請求項５】
前記一芯光伝送路を通過した光信号を前記送信手段に送信させるとともに、前記受信手段によって受信された光信号を前記一芯光伝送路に通過させる光サーキュレータを備えることを特徴とする請求項１に記載の光通信装置。
【請求項６】
前記光送受信機は、前記他の光通信装置に接続された複数の加入者端末と通信を行う収容局であることを特徴とする請求項１〜５のいずれか一つに記載の光通信装置。
【請求項７】
前記光送受信機は、前記他の光通信装置に接続された収容局と通信を行う複数の加入者端末であり、
前記一芯光伝送路は、前記複数の加入者端末と分岐接続されていることを特徴とする請求項１〜５のいずれか一つに記載の光通信装置。
【請求項８】
請求項６に記載の光通信装置と、
請求項７に記載の光通信装置と、を備え、
前記収容局と前記加入者端末との間で通信を行うことを特徴とする光通信システム。
【請求項９】
前記収容局と前記加入者端末との間でＰＯＮ（Ｐａｓｓｉｖｅ  Ｏｐｔｉｃａｌ  Ｎｅｔｗｏｒｋ）方式の通信を行うことを特徴とする請求項８に記載の光通信システム。
【請求項１０】
前記二芯光伝送路は、ＳＯＮＥＴ／ＳＤＨ（Ｓｙｎｃｈｒｏｎｏｕｓ  Ｏｐｔｉｃａｌ  ＮＥＴｗｏｒｋ／Ｓｙｎｃｈｒｏｎｏｕｓ  Ｄｉｇｉｔａｌ  Ｈｉｅｒａｒｃｈｙ）方式のネットワークの光伝送路であることを特徴とする請求項８または９に記載の光通信システム。
【発明の詳細な説明】
【技術分野】
【０００１】
この発明は、光通信を行う光通信装置および光通信システムに関する。
【背景技術】
【０００２】
近年、大都市と大都市を結ぶ幹線系のネットワークから、基地局と家庭を結ぶアクセス系のネットワークにいたるまで、さまざまな形態で光ネットワークが実現されている。主に基地局同士を接続するメトロネットワークにおいては、ＷＤＭ（Ｗａｖｅｌｅｎｇｔｈ  Ｄｉｖｉｓｉｏｎ  Ｍｕｌｔｉｐｌｅｘｉｎｇ：波長分割多重）技術や、光信号のまま波長単位の挿入分岐や経路切替を実現するＯＡＤＭ（Ｏｐｔｉｃａｌ  Ａｄｄ／Ｄｒｏｐ  Ｍｕｌｔｉｐｌｅｘｅｒ：光挿入分岐）装置や波長クロスコネクト（ＷＸＣ：Ｗａｖｅｌｅｎｇｔｈ  ＣＲＯＳＳ  Ｃｏｎｎｅｃｔ）などの光ハブ装置が用いられている。
【０００３】
これにより、二芯双方向の光ファイバ網において大容量のネットワークが構築されたり、リング接続やメッシュ接続といった各種接続形態のネットワークが構築されたりしている。具体的な通信伝送装置としては、ＳＯＮＥＴ／ＳＤＨ（Ｓｙｎｃｈｒｏｎｏｕｓ  Ｏｐｔｉｃａｌ  ＮＥＴｗｏｒｋ／Ｓｙｎｃｈｒｏｎｏｕｓ  Ｄｉｇｉｔａｌ  Ｈｉｅｒａｒｃｈｙ，以下、「ＳＯＮＥＴ」と称する）などの規格に準じた装置が採用されている。
【０００４】
一方、アクセスネットワークにおいては、メトロネットワークの端点ノードを基点として、一芯双方向の伝送路でスタートポロジのネットワークを実現してきた。スタートポロジのネットワークには、たとえばＰＯＮ（Ｐａｓｓｉｖｅ  Ｏｐｔｉｃａｌ  Ｎｅｔｗｏｒｋ）システム技術が利用されている。近年、ＰＯＮシステムの帯域は飛躍的に増大しつつあり（たとえばＧ−ＰＯＮ、１０ＧＥ−ＰＯＮ）、更なる高機能化が期待される。
【０００５】
一芯双方向の代表的なシステムであるＰＯＮ方式の光通信システムにおいては、一つの収容局（ＯＬＴ：Ｏｐｔｉｃａｌ  Ｌｉｎｅ  Ｔｅｒｍｉｎａｌ）に対して、複数の加入者端末（ＯＮＵ：Ｏｐｔｉｃａｌ  Ｎｅｔｗｏｒｋ  Ｕｎｉｔ）が存在し、一芯の光ファイバによって両者が通信を行う。たとえば、ＵｐＬｉｎｋ（ＯＮＵ→ＯＬＴ）の光信号は、波長１３１０ｎｍを割り当ててバーストモード送信される。また、ＤｏｗｎＬｉｎｋ（ＯＬＴ→ＯＮＵ）の光信号は、波長１４９０ｎｍを割りあてて連続モードで送信される。
【０００６】
上記のように、メトロネットワークにおいてはＳＯＮＥＴ等のパストランスポートネットワークを用い、アクセスネットワークにおいてはＰＯＮシステムを用いるのが一般的である。しかし、メトロネットワークとアクセスネットワークを統合的にみると、現在のネットワーク構成が、価格や、効率性の面で最適なネットワーク構成であるとはいえない。
【０００７】
たとえば、ＳＯＮＥＴ方式の伝送装置が高価で、かつ、伝送路接続由来のシステムであるのに対して、ＰＯＮシステムにおいては広帯域化および低コスト化が急激に向上してきている。したがって、ＰＯＮシステムの活用範囲を、たとえばメトロネットワーク内にまで広げることができれば、現在の光ネットワークより、低コストかつ高効率なネットワークの実現が期待できる。たとえば、ＰＯＮシステムの一部において、ＳＯＮＥＴフレームを利用するネットワークが開示されている（たとえば、下記特許文献１参照。）。
【０００８】
【特許文献１】特開２００６−２３７７６９号公報
【発明の開示】
【発明が解決しようとする課題】
【０００９】
しかしながら、メトロネットワークを構成するＳＯＮＥＴ方式の光通信システムが二芯双方向の伝送路を用いるのに対して、アクセスネットワークを構成するＰＯＮ方式の光通信システムは一芯双方向の伝送路を用いる。したがって、ＳＯＮＥＴ方式の光通信システムにおいて、ＰＯＮ方式の光通信システムを実現することが困難である。
【００１０】
このため、ネットワーク設計を柔軟に行うことができないという問題がある。具体的には、ＳＯＮＥＴ方式の光通信システムにおける二芯双方向の伝送路には、ノードごとに増幅器やアイソレータなどが設けられているため、二芯双方向の伝送路の各芯はそれぞれ一方向にしか光信号を通過させることができない。このため、二芯双方向の伝送路の一方の芯を双方向に利用してＰＯＮ方式の光通信システムを実現することができない。
【００１１】
開示の光通信装置および光通信システムは、上述した問題点を解消するものであり、ネットワーク設計の柔軟性を向上させることを目的とする。
【課題を解決するための手段】
【００１２】
上述した課題を解決し、目的を達成するため、この光通信装置は、二芯光伝送路によって他の光通信装置と接続された光通信装置において、一芯双方向の通信を行う光送受信機から送信された光信号と、前記光送受信機へ送信された光信号と、をそれぞれ逆方向に通過させる一芯光伝送路と、前記光送受信機から送信されて前記一芯光伝送路を通過した光信号を、前記二芯光伝送路の一方の芯を介して前記他の光通信装置へ送信する送信手段と、前記二芯光伝送路の他方の芯を介して前記他の光通信装置から前記光送受信機へ送信された光信号を受信し、受信した光信号を前記一芯光伝送路に通過させる受信手段と、を備えることを要件とする。
【００１３】
上記構成によれば、二芯光伝送路を用いて、一芯双方向の通信を行う光送受信機による通信を行うことができる。このため、二芯光伝送路を用いた光通信システムのハードウェア資源を利用して、一芯双方向の方式の通信を実現することができる。
【発明の効果】
【００１４】
開示の光通信装置および光通信システムによれば、ネットワーク設計の柔軟性を向上させることができるという効果を奏する。
【発明を実施するための最良の形態】
【００１５】
以下に添付図面を参照して、この光通信装置および光通信システムの好適な実施の形態を詳細に説明する。
【００１６】
（実施の形態１）
図１は、実施の形態１にかかる光通信システムの機能的構成を示すブロック図である。図１に示すように、実施の形態１にかかる光通信システム１００は、二芯光伝送路１１０と、ＯＬＴ１２０と、光通信装置１３０と、分岐部１４０と、ＯＮＵ１４１〜１４３と、光通信装置１５０と、を備えている。光通信装置１３０および光通信装置１５０のそれぞれは、二芯光伝送路１１０の２カ所に設けられた中継装置である。
【００１７】
たとえば、二芯光伝送路１１０は、ＳＯＮＥＴ方式の光通信システムの伝送路である。そして、光通信装置１３０および光通信装置１５０のそれぞれは、ＳＯＮＥＴ方式の光通信システムにおいて光信号の挿入および分岐を行う挿入分岐ノードである。また、二芯光伝送路１１０は、たとえばリング状に接続された二芯光伝送路の一部である。
【００１８】
二芯光伝送路１１０は、第１芯１１１および第２芯１１２を備えている。第１芯１１１および第２芯１１２は、それぞれ一方向に、かつ互いに逆方向に光信号を通過させる。第１芯１１１は、光通信装置１３０から光通信装置１５０へ送信される光信号を通過させる。第２芯１１２は、光通信装置１５０から光通信装置１３０へ送信される光信号を通過させる。二芯光伝送路１１０は、たとえば二芯の光ファイバである。
【００１９】
ＯＬＴ１２０は、光通信装置１３０に接続された光送受信機（収容局）である。ＯＬＴ１２０は、ＯＮＵ１４１〜１４３との間でＰＯＮ方式の通信（一芯双方向の通信）を行う。具体的には、ＯＬＴ１２０は、ＯＮＵ１４１〜１４３のいずれかを宛先とする各光信号を時分割多重して光通信装置１３０へ送信する。また、ＯＬＴ１２０は、ＯＮＵ１４１〜１４３から時分割多重によって送信された各光信号を光通信装置１３０から受信する。
【００２０】
実線矢印は、ＯＬＴ１２０からＯＮＵ１４１〜１４３へ送信される光信号の流れを示している。点線矢印は、ＯＮＵ１４１〜１４３からＯＬＴ１２０へ送信される光信号の流れを示している（図２〜図７，図９においても同様）。また、ＯＬＴ１２０からＯＮＵ１４１〜１４３へ送信される光信号の波長λ１（第１波長）と、ＯＮＵ１４１〜１４３からＯＬＴ１２０へ送信される光信号の波長λ２（第２波長）と、は互いに異なる波長である。
【００２１】
光通信装置１３０は、一芯光伝送路１３１と、挿入分岐部１３２と、挿入分岐部１３３と、を備えている。一芯光伝送路１３１は、一端がＯＬＴ１２０に接続され、他端が挿入分岐部１３２に接続された一芯双方向の伝送路である。一芯光伝送路１３１は、ＯＬＴ１２０から送信された光信号を挿入分岐部１３２へ通過させる。また、一芯光伝送路１３１は、挿入分岐部１３２から出力された光信号をＯＬＴ１２０へ通過させる。
【００２２】
挿入分岐部１３２（第１挿入分岐手段）は、二芯光伝送路１１０の第２芯１１２（他方の芯）に対して光信号の挿入および分岐を行う。挿入分岐部１３２は、第２芯１１２を介して光通信装置１５０からＯＬＴ１２０へ送信された光信号を受信する受信手段である。挿入分岐部１３２は、受信した光信号を第２芯１１２から分岐して一芯光伝送路１３１に通過させる。また、挿入分岐部１３２は、ＯＬＴ１２０から送信されて一芯光伝送路１３１を通過した光信号を分岐して、分岐した光信号を挿入分岐部１３３へ出力する。
【００２３】
挿入分岐部１３３（第２挿入分岐手段）は、二芯光伝送路１１０の第１芯１１１（一方の芯）に対して光信号の挿入および分岐を行う。挿入分岐部１３３は、挿入分岐部１３２から出力された光信号を第１芯１１１に挿入して光通信装置１５０へ送信する送信手段である。挿入分岐部１３２および挿入分岐部１３３のそれぞれはたとえば光カプラである。
【００２４】
分岐部１４０（分岐合流手段）は、光通信装置１５０に接続されている。分岐部１４０は、光通信装置１５０から送信された光信号を分岐して、分岐した各光信号をそれぞれＯＮＵ１４１〜１４３へ送信する。また、分岐部１４０は、ＯＮＵ１４１〜１４３から送信された各光信号を合流して光通信装置１５０へ送信する。
【００２５】
ＯＮＵ１４１〜１４３のそれぞれは、分岐部１４０によって光通信装置１５０と分岐接続された光送受信機（加入者端末）である。ＯＮＵ１４１〜１４３は、ＯＬＴ１２０との間でＰＯＮ方式の通信（一芯双方向の通信）を行う。具体的には、ＯＮＵ１４１〜１４３は、互いに異なるタイミングで光信号を分岐部１４０へ送信する。また、ＯＮＵ１４１〜１４３は、分岐部１４０から送信された各光信号のうちの、自機宛の光信号を受信する。
【００２６】
光通信装置１５０は、一芯光伝送路１５１と、挿入分岐部１５２と、挿入分岐部１５３と、を備えている。一芯光伝送路１５１は、一端が分岐部１４０に接続され、他端が挿入分岐部１５３に接続された一芯双方向の伝送路である。一芯光伝送路１５１は、分岐部１４０から送信された光信号を挿入分岐部１５３へ通過させる。また、一芯光伝送路１５１は、挿入分岐部１５３から出力された光信号を分岐部１４０へ通過させる。
【００２７】
挿入分岐部１５２（第１挿入分岐手段）は、二芯光伝送路１１０の第１芯１１１に対する光信号の挿入および分岐を行う。挿入分岐部１５２は、二芯光伝送路１１０の第１芯１１１を介して光通信装置１３０からＯＮＵ１４１〜１４３へ送信された光信号を受信する受信手段である。挿入分岐部１５２は、受信した光信号を第１芯１１１から分岐する。挿入分岐部１５２は、分岐した光信号を挿入分岐部１５３へ出力する。
【００２８】
挿入分岐部１５３（第２挿入分岐手段）は、二芯光伝送路１１０の第２芯１１２に対する光信号の挿入および分岐を行う。挿入分岐部１５３は、一芯光伝送路１５１から出力された光信号を第２芯１１２に挿入して光通信装置１３０へ送信する送信手段である。また、挿入分岐部１５３は、挿入分岐部１５２から出力された光信号を分岐する。挿入分岐部１５３は、分岐した光信号を一芯光伝送路１５１に通過させる。
【００２９】
挿入分岐部１５２および挿入分岐部１５３のそれぞれは、たとえば、１×２の光カプラ、２×１の光カプラまたは２×２の光カプラである。分岐部１４０は、たとえば１×Ｎ（Ｎは３以上）のスターカプラである。一芯光伝送路１３１および一芯光伝送路１５１のそれぞれは、たとえば、一芯の光ファイバである。
【００３０】
図２は、図１に示した光通信システムの具体的な構成を示すブロック図である。図２において、図１に示した構成と同様の構成については同一の符号を付して説明を省略する。ここでは、第１芯１１１および第２芯１１２によって伝送される各光信号が、波長多重されたＷＤＭ光信号である場合について説明する。ＯＬＴ１２０とＯＮＵ１４１〜１４３は、光信号に含まれる波長λ１および波長λ２の各光信号によって互いに通信を行う。
【００３１】
図２に示す光通信装置１３０は、受信した光信号を波長多重分離する。光通信装置１３０は、分離した光信号ごとに光信号の挿入および分岐を行う。具体的には、光通信装置１３０は、図１に示した光通信装置１３０の構成に加えて、増幅器２１１〜２１６と、多重分離部２２１，２２２と、多重化部２３１，２３２と、を備えている。
【００３２】
増幅器２１１は、光通信装置１３０の前段（図の左側）の光通信装置（不図示）から送信された光信号を受信して増幅する。増幅器２１１は、増幅した光信号を多重分離部２２１へ出力する。多重分離部２２１は、増幅器２１１から出力された光信号を波長多重分離する。ここでは、多重分離部２２１によって波長多重分離される各光信号のうちの一つの光信号のみについて説明し、他の光信号についての図示および説明を省略する。
【００３３】
多重分離部２２１は、波長多重分離した各光信号のうちの一つの光信号を挿入分岐部１３３へ出力する。挿入分岐部１３３は、多重分離部２２１から出力された光信号と、挿入分岐部１３２から出力された光信号と、を合流させて増幅器２１２へ出力する。挿入分岐部１３３は、挿入分岐部１３２から出力された光信号を増幅器２１２へ出力する。
【００３４】
増幅器２１２は、挿入分岐部１３３から出力された光信号を増幅して多重化部２３１へ出力する。多重化部２３１は、増幅器２１２から出力された光信号と、多重分離部２２１によって波長多重分離された図示しない他の波長の各光信号と、を波長多重する。多重化部２３１は、波長多重した光信号を増幅器２１３へ出力する。増幅器２１３は、多重化部２３１から出力された光信号を増幅して光通信装置１５０へ送信する。
【００３５】
増幅器２１４は、光通信装置１３０の後段（図の右側）の光通信装置１５０から送信された光信号を受信して増幅する。増幅器２１４は、増幅した光信号を多重分離部２２２へ出力する。多重分離部２２２は、増幅器２１４から出力された光信号を波長多重分離する。ここでは、多重分離部２２２によって波長多重分離される各光信号のうちの一つの光信号のみについて説明し、他の光信号についての図示および説明を省略する。
【００３６】
多重分離部２２２は、波長多重分離した各光信号のうちの一つを増幅器２１５へ出力する。増幅器２１５は、多重分離部２２２から出力された光信号を増幅して挿入分岐部１３２へ出力する。挿入分岐部１３２は、増幅器２１５から出力された光信号を分岐して、分岐した各光信号をそれぞれ一芯光伝送路１３１および多重化部２３２へ出力する。
【００３７】
多重化部２３２は、挿入分岐部１３２から出力された光信号と、多重分離部２２２によって波長多重分離された図示しない他の波長の各光信号と、を波長多重する。多重化部２３２は、波長多重した光信号を増幅器２１６へ出力する。増幅器２１６は、多重化部２３２から出力された光信号を増幅して、光通信装置１３０の前段の光通信装置へ送信する。
【００３８】
図２に示す光通信装置１５０は、受信した光信号を波長多重分離する。光通信装置１５０は、分離した光信号ごとに光信号の挿入および分岐を行う。具体的には、光通信装置１５０は、図１に示した光通信装置１５０の構成に加えて、増幅器２４１〜２４６と、多重分離部２５１，２５２と、多重化部２６１，２６２と、を備えている。
【００３９】
増幅器２４１は、光通信装置１５０の後段（図の右側）の光通信装置（不図示）から送信された光信号を受信して増幅する。増幅器２４１は、増幅した光信号を多重分離部２５１へ出力する。多重分離部２５１は、増幅器２４１から出力された光信号を波長多重分離する。ここでは、多重分離部２５１によって波長多重分離される各光信号のうちの一つの光信号のみについて説明し、他の光信号についての図示および説明を省略する。
【００４０】
多重分離部２５１は、波長多重分離した各光信号のうちの一つを挿入分岐部１５３へ出力する。挿入分岐部１５３は、多重分離部２５１から出力された光信号と、一芯光伝送路１５１から出力された光信号と、を合流させて増幅器２４２へ出力する。増幅器２４２は、挿入分岐部１５３から出力された光信号を増幅して多重化部２６１へ出力する。
【００４１】
多重化部２６１は、増幅器２４２から出力された光信号と、多重分離部２５１によって波長多重分離された図示しない他の波長の各光信号と、を波長多重する。多重化部２６１は、波長多重した光信号を増幅器２４３へ出力する。増幅器２４３は、多重化部２６１から出力された光信号を増幅して光通信装置１３０へ送信する。
【００４２】
増幅器２４４は、光通信装置１５０の前段（図の左側）の光通信装置１３０から送信された光信号を受信して増幅する。増幅器２４４は、増幅した光信号を多重分離部２５２へ出力する。多重分離部２５２は、増幅器２４４から出力された光信号を波長多重分離する。ここでは、多重分離部２５２によって波長多重分離される各光信号のうちの一つの光信号のみについて説明し、他の光信号についての図示および説明を省略する。
【００４３】
多重分離部２５２は、波長多重分離した各光信号のうちの一つの光信号を増幅器２４５へ出力する。増幅器２４５は、多重分離部２５２から出力された光信号を増幅して挿入分岐部１５２へ出力する。挿入分岐部１５２は、増幅器２４５から出力された光信号を分岐して、分岐した各光信号をそれぞれ挿入分岐部１５３および多重化部２６２へ出力する。
【００４４】
多重化部２６２は、挿入分岐部１５２から出力された光信号と、多重分離部２５２によって波長多重分離された図示しない他の波長の各光信号と、を波長多重する。多重化部２６２は、波長多重した光信号を増幅器２４６へ出力する。増幅器２４６は、多重化部２６２から出力された光信号を増幅して、光通信装置１５０の後段の光通信装置へ送信する。
【００４５】
増幅器２１１〜２１６および増幅器２４１〜２４６のそれぞれは、たとえばＳＯＡ（Ｓｅｍｉｃｏｎｄｕｃｔｏｒ  Ｏｐｔｉｃａｌ  Ａｍｐｌｉｆｉｅｒ：半導体光増幅器）やＥＤＦＡ（Ｅｒｂｉｕｍ  Ｄｏｐｅｄ  Ｆｉｂｅｒ  Ａｍｐｌｉｆｉｅｒ：エルビウム添加ファイバ増幅器）である。また、多重分離部２２１，２２２，２５１，２５２および多重化部２３１，２３２，２６１，２６２のそれぞれは、たとえばＡＷＧ（Ａｒｒａｙｅｄ  Ｗａｖｅｇｕｉｄｅ  Ｇｒａｔｉｎｇ：アレイ導波路格子）である。
【００４６】
ここでは増幅器２１２，２１５，２４５，２４２を設ける構成について説明したが、ＯＬＴ１２０とＯＮＵ１４１〜１４３の間で送受信される光信号のＯＳＮＲ（Ｏｐｔｉｃａｌ  Ｓｉｇｎａｌ  Ｎｏｉｓｅ  Ｒａｔｉｏ：光信号雑音比）が十分に確保できる場合は、増幅器２１２，２１５，２４５，２４２の全部または一部を省いた構成にしてもよい。
【００４７】
図３は、図２に示した前段の光通信装置の具体例を示すブロック図である。図３において、図２に示した構成と同様の構成については同一の符号を付して説明を省略する。図３は、図２に示した光通信装置１３０の多重分離部２２１および多重化部２３１の間の構成と、多重分離部２２２および多重化部２３２の間の構成と、の具体例を示している。
【００４８】
多重分離部２２１および多重化部２３１の間には、光カプラ３１１〜３１５と、ＳＯＡアレイ３２０と、光カプラ３３１〜３３５と、が設けられている。多重分離部２２１は、波長多重分離した各光信号を、それぞれ光カプラ３１１〜３１５へ出力する。光カプラ３１１〜３１４のそれぞれは、１×２の光カプラである。
【００４９】
光カプラ３１１〜３１４のそれぞれは、多重分離部２２１から出力された光信号を分岐する。光カプラ３１１〜３１４のそれぞれは、分岐した各光の一方をＳＯＡアレイ３２０へ出力する（Ｔｈｒｏｕｇｈ）。また、光カプラ３１１〜３１４のそれぞれは、分岐した各光の他方を外部へ出力する（Ｄｒｏｐ）。
【００５０】
光カプラ３１５は、図２に示した挿入分岐部１３３である。光カプラ３１５は、２×２の光カプラである。光カプラ３１５には、多重分離部２２１から出力された光信号と、光カプラ３６１から出力された光信号と、が入力される。光カプラ３１５は、入力された光信号を分岐する。光カプラ３１５は、分岐した各光信号の一方をＳＯＡアレイ３２０へ出力し（Ａｄｄ／Ｔｈｒｏｕｇｈ）、分岐した各光の他方を外部へ出力する（Ｄｒｏｐ）。
【００５１】
ＳＯＡアレイ３２０の各ＳＯＡは、それぞれ光カプラ３１１〜３１５および光カプラ３３１〜３３５に対応している。ＳＯＡアレイ３２０の各ＳＯＡは、光カプラ３１１〜３１５のうちの対応する光カプラから出力された光信号を増幅し、増幅した光信号を光カプラ３３１〜３３５のうちの対応する光カプラへ出力する。ＳＯＡアレイ３２０の各ＳＯＡのうちの、光カプラ３１５に対応するＳＯＡ３２１は、図２に示した増幅器２１２である。
【００５２】
光カプラ３３１〜３３４のそれぞれは、２×１の光カプラである。光カプラ３３１〜３３５のそれぞれには、ＳＯＡアレイ３２０のうちの対応するＳＯＡから出力された光信号と、外部からの光信号と、が入力される。光カプラ３３１〜３３５のそれぞれは、入力された光信号を多重化部２３１へ出力する。多重化部２３１は、光カプラ３３１〜３３５から出力された各光信号を波長多重する。
【００５３】
多重分離部２２２および多重化部２３２の間には、光カプラ３４１〜３４５と、ＳＯＡアレイ３５０と、光カプラ３６１〜３６５と、が設けられている。多重分離部２２２は、波長多重分離した各光信号を、それぞれ光カプラ３４１〜３４５へ出力する。光カプラ３４１〜３４４のそれぞれは、１×２の光カプラである。
【００５４】
光カプラ３４１〜３４５のそれぞれは、多重分離部２２２から出力された光信号を分岐する。光カプラ３４１〜３４５のそれぞれは、分岐した各光の一方をＳＯＡアレイ３５０へ出力する（Ｔｈｒｏｕｇｈ）。また、光カプラ３４１〜３４５のそれぞれは、分岐した各光の他方を外部へ出力する（Ｄｒｏｐ）。
【００５５】
ＳＯＡアレイ３５０の各ＳＯＡは、それぞれ光カプラ３４１〜３４５および光カプラ３６１〜３６５に対応している。ＳＯＡアレイ３５０の各ＳＯＡは、光カプラ３４１〜３４５のうちの対応する光カプラから出力された光信号を増幅し、増幅した光信号を光カプラ３６１〜３６５のうちの対応する光カプラへ出力する。ＳＯＡアレイ３５０の各ＳＯＡのうちの、光カプラ３６１に対応するＳＯＡ３５１は、図２に示した増幅器２１５である。
【００５６】
光カプラ３６２〜３６４のそれぞれは、２×１の光カプラである。光カプラ３６２〜３６４のそれぞれには、ＳＯＡアレイ３５０のうちの対応するＳＯＡから出力された光信号と、外部からの光信号と、が入力される。光カプラ３６２〜３６４のそれぞれは、入力された光信号を合流させて多重化部２３２へ出力する。
【００５７】
光カプラ３６１は、図２に示した挿入分岐部１３２である。光カプラ３６１は、２×２の光カプラである。光カプラ３６１には、ＳＯＡ３５１から出力された光信号と、多重分離部２２２から出力された光信号と、が入力される。光カプラ３６１は、入力された光信号を分岐して、分岐した各光信号の一方を一芯光伝送路１３１へ出力する。光カプラ３６１によって分岐された各光信号の他方は、多重化部２３２へ出力される。
【００５８】
また、光カプラ３６１には、一芯光伝送路１３１から出力された光信号が入力される。光カプラ３６１は、入力された光信号を分岐して、分岐した各光信号の一方を光カプラ３１５へ出力する。光カプラ３４１によって分岐された各光信号の他方は、ＳＯＡ３５１に出力される。光カプラ３４１からＳＯＡ３５１へ出力される光は、たとえば、ＳＯＡ３５１に内蔵されるアイソレータによって遮断するとよい。
【００５９】
多重化部２３２は、光カプラ３６１〜３６５から出力された各光信号を波長多重する。ここで、光カプラ３６１から多重化部２３２へ出力される光信号は、多重化部２３２によって遮断するとよい。たとえば多重化部２３２がＡＷＧである場合は、ＡＷＧの特性設計により、光カプラ３６１から出力される光信号の波長成分を出力しないようにする。
【００６０】
図４は、図２に示した後段の光通信装置の具体例を示すブロック図である。図４において、図２に示した構成と同様の構成については同一の符号を付して説明を省略する。図４は、図２に示した光通信装置１５０の多重分離部２５１および多重化部２６１の間の構成と、多重分離部２５２および多重化部２６２の間の構成と、の具体例を示している。
【００６１】
多重分離部２５１および多重化部２６１の間には、光カプラ４１１〜４１５と、ＳＯＡアレイ４２０と、光カプラ４３１〜４３５と、が設けられている。多重分離部２５１は、波長多重分離した各光信号を、それぞれ光カプラ４１１〜４１５へ出力する。光カプラ４１２〜４１５のそれぞれは、１×２の光カプラである。
【００６２】
光カプラ４１２〜４１５のそれぞれは、多重分離部２５１から出力された光信号を分岐する。光カプラ４１２〜４１５のそれぞれは、分岐した各光の一方をＳＯＡアレイ４２０へ出力する（Ｔｈｒｏｕｇｈ）。また、光カプラ４１２〜４１５のそれぞれは、分岐した各光の他方を外部へ出力する（Ｄｒｏｐ）。
【００６３】
光カプラ４１１は、図２に示した挿入分岐部１５３である。光カプラ４１１は、２×２の光カプラである。光カプラ４１１には、多重分離部２５１から出力された光信号と、一芯光伝送路１５１から出力された光信号と、が入力される。光カプラ４１１は、入力された多重分離部２５１からの光信号と、一芯光伝送路１５１からの光信号と、を分岐する。
【００６４】
光カプラ４１１は、分岐した各光の一方をＳＯＡアレイ４２０へ出力する（Ｔｈｒｏｕｇｈ）。また、光カプラ４１１によって分岐された各光信号の他方は、光カプラ４６５を経由してＳＯＡ４５１へ出力される。光カプラ４１１からＳＯＡ４５１へ出力される光信号は、たとえば、ＳＯＡ４５１が内蔵する光アイソレータによって遮断するとよい。
【００６５】
ＳＯＡアレイ４２０の各ＳＯＡは、それぞれ光カプラ４１１〜４１５および光カプラ４３１〜４３５に対応している。ＳＯＡアレイ４２０の各ＳＯＡは、光カプラ４１１〜４１５のうちの対応する光カプラから出力された光信号を増幅し、増幅した光信号を光カプラ４３１〜４３５のうちの対応する光カプラへ出力する。ＳＯＡアレイ４２０の各ＳＯＡのうちの、光カプラ４１１に対応するＳＯＡ４２１は、図２に示した増幅器２４２である。
【００６６】
光カプラ４３１〜４３４のそれぞれは、２×１の光カプラである。光カプラ４３１〜４３５のそれぞれには、ＳＯＡアレイ４２０のうちの対応するＳＯＡから出力された光信号と、外部からの光信号と、が入力される。光カプラ４３１〜４３５のそれぞれは、入力された光信号を多重化部２６１へ出力する。多重化部２６１は、光カプラ４３１〜４３５から出力された各光信号を波長多重して増幅器２４３へ出力する。
【００６７】
多重分離部２５２および多重化部２６２の間には、光カプラ４４１〜４４５と、ＳＯＡアレイ４５０と、光カプラ４６１〜４６５と、が設けられている。多重分離部２５２は、波長多重分離した各光信号を、それぞれ光カプラ４４１〜４４５へ出力する。光カプラ４４１〜４４４のそれぞれは、１×２の光カプラである。
【００６８】
光カプラ４４１〜４４５のそれぞれは、多重分離部２５２から出力された光信号を分岐する。光カプラ４４１〜４４５のそれぞれは、分岐した各光の一方をＳＯＡアレイ４５０へ出力する（Ｔｈｒｏｕｇｈ）。また、光カプラ４４１〜４４５のそれぞれは、分岐した各光の他方を外部へ出力する（Ｄｒｏｐ）。
【００６９】
ＳＯＡアレイ４５０の各ＳＯＡは、それぞれ光カプラ４４１〜４４５および光カプラ４６１〜４６５に対応している。ＳＯＡアレイ４５０の各ＳＯＡは、光カプラ４４１〜４４５のうちの対応する光カプラから出力された光信号を増幅し、増幅した光信号を光カプラ４６１〜４６５のうちの対応する光カプラへ出力する。ＳＯＡアレイ４５０の各ＳＯＡのうちの、光カプラ４６１に対応するＳＯＡ４５１は、図２に示した増幅器２４５である。
【００７０】
光カプラ４６１〜４６４のそれぞれは、２×１の光カプラである。光カプラ４６１〜４６４のそれぞれには、ＳＯＡアレイ４５０のうちの対応するＳＯＡから出力された光信号と、外部からの光信号と、が入力される。光カプラ４６１〜４６４のそれぞれは、入力された光信号を合流させて多重化部２６２へ出力する。
【００７１】
光カプラ４６５は、図２に示した挿入分岐部１５２である。光カプラ４６５は、２×２の光カプラである。光カプラ４６５には、ＳＯＡ４５１から出力された光信号と、外部からの光信号と、が入力される。光カプラ４６５は、入力された光信号を分岐して、分岐した各光信号の一方を光カプラ４１１へ出力する。光カプラ４６１によって分岐された各光信号の他方は、多重化部２６２へ出力される。
【００７２】
多重化部２６２は、光カプラ４６１〜４６５から出力された各光信号を波長多重する。ここで、光カプラ４６１から多重化部２６２へ出力される光信号は、多重化部２６２によって遮断するとよい。たとえば多重化部２６２がＡＷＧである場合は、ＡＷＧの特性設計により、光カプラ４６１から出力される光信号の波長成分を出力しないようにする。
【００７３】
図５は、図３に示した光通信装置の変形例を示すブロック図である。図５において、図３に示した構成と同様の構成については同一の符号を付して説明を省略する。ＯＬＴ１２０とＯＮＵ１４１〜１４３の間で送受信される光信号のＯＳＮＲが十分に確保できる場合は、ＯＬＴ１２０とＯＮＵ１４１〜１４３の間で送受信される光信号がＳＯＡアレイ３２０およびＳＯＡアレイ３５０を経由しない構成にしてもよい。
【００７４】
この場合は、光カプラ３３５が、図２に示した挿入分岐部１３３となる。光カプラ３３５には、ＳＯＡ３２１から出力された光信号と、光カプラ３４１から出力された光信号と、が入力される。光カプラ３３５は、入力された各光信号を合流させて多重化部２３１へ出力する（Ａｄｄ／Ｔｈｒｏｕｇｈ）。
【００７５】
また、この場合は、光カプラ３４１が、図２に示した挿入分岐部１３２となる。光カプラ３４１には、多重分離部２２２から出力された光信号が入力される。光カプラ３４１は、入力された光信号を分岐して、分岐した各光信号の一方を一芯光伝送路１３１へ出力する。光カプラ３６１によって分岐された各光信号の他方は多重化部２３２へ出力される。
【００７６】
また、光カプラ３４１には、一芯光伝送路１３１から出力された光信号が入力される。光カプラ３４１は、入力された光信号を分岐して、分岐した各光信号の一方を光カプラ３３５へ出力する。光カプラ３４１によって分岐された各光信号の他方は、多重分離部２２２に出力される。光カプラ３４１から多重分離部２２２へ出力される光は、多重分離部２２２によって遮断するとよい。たとえば多重分離部２２２がＡＷＧである場合は、ＡＷＧの特性設計により、光カプラ３４１からの光信号の波長成分を出力しないようにする。
【００７７】
また、光カプラ３４１からＳＯＡ３５１へ出力される光信号は、多重化部２３２によって遮断するとよい。たとえば多重化部２３２がＡＷＧである場合は、ＡＷＧの特性設計により、光カプラ３４１から出力される光信号の波長成分を出力しないようにする。図５に示した構成においては、光カプラ３１５は１×２の光カプラにしてもよい。また、光カプラ３６１は２×１の光カプラにしてもよい。
【００７８】
図６は、図４に示した光通信装置の変形例を示すブロック図である。図６において、図４に示した構成と同様の構成については同一の符号を付して説明を省略する。ＯＬＴ１２０とＯＮＵ１４１〜１４３の間で送受信される光信号のＯＳＮＲが十分に確保できる場合は、ＯＬＴ１２０とＯＮＵ１４１〜１４３の間で送受信される光信号がＳＯＡアレイ４２０およびＳＯＡアレイ４５０を経由しない構成にしてもよい。
【００７９】
この場合は、光カプラ４３１が、図２に示した挿入分岐部１５３となる。光カプラ４３１は、２×２の光カプラとする。光カプラ４３１には、ＳＯＡアレイ４２０のＳＯＡ４２１から出力された光信号と、一芯光伝送路１５１から出力された光信号と、が入力される。光カプラ４３１は、入力された光信号を分岐する。
【００８０】
光カプラ４３１は、分岐した各光の一方を多重化部２６１へ出力する（Ａｄｄ／Ｔｈｒｏｕｇｈ）。また、光カプラ４３１によって分岐された各光信号の他方は、光カプラ４４５を経由して多重分離部２５２へ出力される。光カプラ４３１から多重分離部２５２へ出力される光信号は、多重分離部２５２によって遮断するとよい。
【００８１】
また、光カプラ４３１には、光カプラ４４５から出力された光信号が入力される。光カプラ４３１は、入力された光信号を分岐して、分岐した各光信号の一方を一芯光伝送路１５１へ出力する。光カプラ４３１によって分岐された各光信号の他方は、ＳＯＡアレイ４２０のＳＯＡ４２１へ出力される。光カプラ４３１からＳＯＡ４２１へ出力される光信号は、たとえばＳＯＡ４２１に内蔵される光アイソレータによって遮断するとよい。
【００８２】
また、この場合は、光カプラ４４５が、図２に示した挿入分岐部１５２となる。光カプラ４４５には、多重分離部２５２から出力された光信号が入力される。光カプラ４４５は、入力された光信号を分岐して、分岐した各光信号の一方を光カプラ４３１へ出力する。光カプラ４４５によって分岐された各光信号の他方は、ＳＯＡ４５１へ出力される。
【００８３】
光カプラ４４５からＳＯＡ４５１へ出力される光信号は、多重化部２６２によって遮断するとよい。たとえば多重化部２６２がＡＷＧである場合は、ＡＷＧの特性設計により、光カプラ４６５から出力される光信号の波長成分を出力しないようにする。図６に示した構成においては、光カプラ４１１は１×２の光カプラにしてもよい。また、光カプラ４６５は２×１の光カプラにしてもよい。
【００８４】
図７は、図１に示した光通信システムの変形例を示すブロック図である。図７において、図１に示した構成と同様の構成については同一の符号を付して説明を省略する。ここでは、一芯光伝送路１３１は、一端がＯＬＴ１２０に接続され、他端が挿入分岐部１３３に接続されている。一芯光伝送路１３１は、ＯＬＴ１２０から送信された光信号を挿入分岐部１３３へ通過させる。また、一芯光伝送路１３１は、挿入分岐部１３３から出力された光信号をＯＬＴ１２０へ通過させる。
【００８５】
挿入分岐部１３２は、受信した光信号を第２芯１１２から分岐して挿入分岐部１３３へ出力する。挿入分岐部１３３は、挿入分岐部１３２から出力された光信号を分岐して一芯光伝送路１３１に通過させる。また、挿入分岐部１３３は、ＯＬＴ１２０から送信されて一芯光伝送路１３１を通過した光信号を第１芯１１１に挿入して送信する。
【００８６】
一芯光伝送路１５１は、一端が分岐部１４０に接続され、他端が挿入分岐部１５２に接続されている。一芯光伝送路１５１は、分岐部１４０から送信された光信号を挿入分岐部１５２に通過させる。また、一芯光伝送路１５１は、挿入分岐部１５２から出力された光信号を分岐部１４０に通過させる。
【００８７】
挿入分岐部１５２は、第１芯１１１から分岐した光信号を一芯光伝送路１５１に通過させる。また、挿入分岐部１５２は、一芯光伝送路１５１から出力された光信号を分岐して挿入分岐部１５３へ出力する。挿入分岐部１５３は、挿入分岐部１５２から出力された光信号を第２芯１１２に挿入して送信する。
【００８８】
また、図示しないが、図７に示した光通信システム１００の構成において、光通信装置１３０を図１に示した光通信装置１３０に置き換えた構成にしてもよい。また、図７に示した光通信システム１００の構成において、光通信装置１５０を図１に示した光通信装置１５０に置き換えた構成にしてもよい。
【００８９】
図１に示した光通信装置１３０においては、ＯＬＴ１２０からＯＮＵ１４１〜１４３へ送信される光信号（ＤｏｗｎＬｉｎｋの光信号）は、挿入分岐部１３２および挿入分岐部１３３の両方を通過する。また、ＯＮＵ１４１〜１４３からＯＬＴ１２０へ送信される光信号（ＵｐＬｉｎｋの光信号）は、挿入分岐部１３２を通過し、挿入分岐部１３３を通過しない。したがって、ＤｏｗｎＬｉｎｋの方がＵｐＬｉｎｋより光信号のロスが大きい。
【００９０】
一方、図７に示した光通信装置１３０においては、ＤｏｗｎＬｉｎｋの光信号は、挿入分岐部１３３を通過し、挿入分岐部１３２を通過しない。また、ＵｐＬｉｎｋの光信号は、挿入分岐部１３２および挿入分岐部１３３の両方を通過する。したがって、ＤｏｗｎＬｉｎｋの方がＵｐＬｉｎｋより光信号のロスが小さい。
【００９１】
これを利用して、ＤｏｗｎＬｉｎｋの光信号と、ＵｐＬｉｎｋの光信号と、のパワーバランスを調節してもよい。一般的に、異なる波長の各光信号は、伝送路で発生するロスが互いに異なる。たとえば、ＤｏｗｎＬｉｎｋの波長λ１が、ＵｐＬｉｎｋの波長λ２よりもロスが小さい波長である場合は、図１に示した光通信装置１３０を用いる。
【００９２】
反対に、ＤｏｗｎＬｉｎｋの波長λ１が、ＵｐＬｉｎｋの波長λ２よりもロスが大きい波長である場合は、図７に示した光通信装置１３０を用いる。これにより、ＤｏｗｎＬｉｎｋとＵｐＬｉｎｋの各光信号のパワーを均一化することができる。同様に、図１に示した光通信装置１５０と、図７に示した光通信装置１５０と、の選択によっても、ＤｏｗｎＬｉｎｋとＵｐＬｉｎｋの各光信号のパワーバランスを調節することができる。
【００９３】
図８は、実施の形態１にかかる光通信システムの実施例を示すブロック図である。図８に示す光通信システム８００は、ＳＯＮＥＴネットワークである。光通信システム８００においては、挿入分岐ノード８１０，８２０，８３０，８４０，８５０，８６０が二芯光伝送路８０１によってリング状に接続されている。二芯光伝送路８０１は、たとえば図２に示した二芯光伝送路１１０である。
【００９４】
挿入分岐ノード８１０には、ＯＬＴ８１１およびＳＯＮＥＴ送受信機８１２が接続されている。挿入分岐ノード８４０には、ＯＬＴ８４１およびＳＯＮＥＴ送受信機８４２が接続されている。ＳＯＮＥＴ送受信機８１２と、ＳＯＮＥＴ送受信機８４２と、は二芯光伝送路８０１によってＳＯＮＥＴ方式の通信を行う。
【００９５】
また、挿入分岐ノード８１０は、上位のＳＯＮＥＴネットワーク８７０に接続されている。ＳＯＮＥＴ送受信機８１２は、ＳＯＮＥＴネットワーク８７０との間でＳＯＮＥＴ方式の通信を行う。挿入分岐ノード８１０は、たとえば図２に示した光通信装置１３０である。この場合は、ＯＬＴ８１１は、図２に示したＯＬＴ１２０である。
【００９６】
挿入分岐ノード８２０には、分岐部８２４を介してＯＮＵ８２１〜８２３が接続されている。挿入分岐ノード８３０には、分岐部８３４を介してＯＮＵ８３１〜８３３が接続されている。挿入分岐ノード８２０および挿入分岐ノード８３０のそれぞれは、たとえば図２に示した光通信装置１５０である。この場合は、ＯＮＵ８２１〜８２３およびＯＮＵ８３１〜８３３のそれぞれは、図２に示したＯＮＵ１４１〜１４３である。
【００９７】
両矢印８０２に示すように、挿入分岐ノード８１０は、挿入分岐ノード８２０との間で双方向の光通信システム１００（たとえば図２を参照）を実現している。また、両矢印８０３に示すように、挿入分岐ノード８１０は、挿入分岐ノード８３０との間で双方向の光通信システム１００（たとえば図２を参照）を実現している。
【００９８】
挿入分岐ノード８４０は、たとえば図２に示した光通信装置１３０である。この場合は、ＯＬＴ８４１は、図２に示したＯＬＴ１２０である。挿入分岐ノード８５０には、分岐部８５４を介してＯＮＵ８５１〜８５３が接続されている。挿入分岐ノード８６０には、分岐部８６４を介してＯＮＵ８６１〜８６３が接続されている。
【００９９】
挿入分岐ノード８５０および挿入分岐ノード８６０のそれぞれは、たとえば図２に示した光通信装置１５０である。この場合は、ＯＮＵ８５１〜８５３およびＯＮＵ８６１〜８６３のそれぞれは、図２に示したＯＮＵ１４１〜１４３である。
【０１００】
両矢印８０４に示すように、挿入分岐ノード８４０は、挿入分岐ノード８５０との間で双方向の光通信システム１００（たとえば図２を参照）を実現している。また、両矢印８０５に示すように、挿入分岐ノード８４０は、挿入分岐ノード８６０との間で双方向の光通信システム１００（たとえば図２を参照）を実現している。
【０１０１】
また、ＯＬＴ８４１とＳＯＮＥＴ送受信機８４２の間で通信を行い、ＳＯＮＥＴ方式の光通信システムと、ＰＯＮ方式の光通信システムと、を接続してもよい。たとえば、ＳＯＮＥＴ送受信機８４２は、ＳＯＮＥＴ送受信機８１２からＳＯＮＥＴ方式で受信した光信号に基づく信号（電気信号でも光信号でもよい）をＯＬＴ８４１へ送信する。
【０１０２】
ＯＬＴ８４１は、ＳＯＮＥＴ送受信機８４２から送信された信号をＰＯＮ方式の光信号に変換して、ＯＮＵ８５１〜８５３またはＯＮＵ８６１〜８６３へＰＯＮ方式で送信する。また、ＯＬＴ８４１は、ＯＮＵ８５１〜８５３またはＯＮＵ８６１〜８６３からＰＯＮ方式で受信した光信号に基づく信号をＳＯＮＥＴ送受信機８４２へ送信する。
【０１０３】
ＳＯＮＥＴ送受信機８４２は、ＯＬＴ８４１から受信した信号をＳＯＮＥＴ方式の光信号に変換してＳＯＮＥＴ方式でＳＯＮＥＴ送受信機８１２へ送信する。これにより、二芯光伝送路８０１において、ＳＯＮＥＴ方式の光通信システムと、ＰＯＮ方式の光通信システムと、を混在させることができる。さらに、混在させたＳＯＮＥＴ方式の光通信システムと、ＰＯＮ方式の光通信システムと、をシームレスに接続することができる。
【０１０４】
図９は、図８に示した光通信システムの一部の詳細を示すブロック図である。図９において、図２または図８に示した構成と同様の構成については同一の符号を付して説明を省略する。図９は、図８に示した光通信システム８００のうちの、挿入分岐ノード８４０，８５０，８６０を示している。挿入分岐ノード８４０は、図２に示した光通信装置１３０であるとする。ここでは、挿入分岐ノード８４０の構成を簡略化して図示している。
【０１０５】
また、ＯＬＴ８４１およびＳＯＮＥＴ送受信機８４２が挿入分岐ノード８４０の内部に設けられている構成を図示している。ＯＬＴ８４１は、図２に示したＯＬＴ１２０である。ＳＯＮＥＴ送受信機８４２は、挿入分岐ノード８４０および挿入分岐ノード８６０を経由してＳＯＮＥＴ送受信機８１２（図８参照）とＳＯＮＥＴ方式の通信を行う。
【０１０６】
ＳＯＮＥＴ送受信機８４２とＳＯＮＥＴ送受信機８１２の間で送受信される光信号は、挿入分岐ノード８４０および挿入分岐ノード８６０でＴｒｏｕｇｈされる。ＯＬＴ８４１は、ＯＮＵ８５１〜８５３およびＯＮＵ８６１〜８６３との間でＰＯＮ方式の通信を行う。ＯＬＴ８４１からＯＮＵ８５１〜８５３のいずれかへ送信される光信号は、挿入分岐ノード８５０でＤｒｏｐされて分岐部８５４へ出力される。
【０１０７】
また、ＯＮＵ８５１〜８５３からＯＬＴ８４１へ送信される光信号は、挿入分岐ノード８５０でＡｄｄされてＯＬＴ８４１へ送信される。また、ＯＬＴ８４１からＯＮＵ８６１〜８６３のいずれかへ送信される光信号は、挿入分岐ノード８６０でＤｒｏｐされて、分岐部８６４へ出力される。また、ＯＮＵ８６１〜８６３からＯＬＴ８４１へ送信される光信号は、挿入分岐ノード８６０でＡｄｄされてＯＬＴ８４１へ送信される。
【０１０８】
ここでは、ＯＮＵ８５１〜８５３および分岐部８５４が挿入分岐ノード８５０の外部に設けられている構成について説明したが、ＯＮＵ８５１〜８５３および分岐部８５４が挿入分岐ノード８５０の内部に設けられている構成にしてもよい。同様に、ＯＮＵ８６１〜８６３および分岐部８６４が挿入分岐ノード８６０の内部に設けられていてもよい。
【０１０９】
図１０は、ＯＬＴとＯＮＵの間で送受信する各光信号の波長割当を示す図である。図１０において、横軸は波長を示している。符号１００１は、ＯＮＵ１４１〜１４３（たとえば図１参照）からＯＬＴ１２０へ送信される光信号（ＵｐＬｉｎｋ）の波長帯域を示している。符号１００２は、ＯＬＴ１２０（たとえば図１参照）からＯＮＵ１４１〜１４３へ送信される光信号（ＤｏｗｎＬｉｎｋ）の波長帯域を示している。
【０１１０】
ＯＮＵ１４１〜１４３からＯＬＴ１２０へ送信される光信号の波長λ２は、波長帯域１００１に含まれるようにする。ＯＬＴ１２０からＯＮＵ１４１〜１４３へ送信される光信号の波長λ１は、波長帯域１００２に含まれるようにする。また、波長帯域１００１と波長帯域１００２の間には未使用帯域が設けられている。
【０１１１】
ＯＬＴ１２０およびＯＮＵ１４１〜１４３は、未使用帯域に含まれる未使用波長１００３を境界として光信号を合分波する波長分離カプラを内蔵している。ＯＬＴ１２０は、一芯光伝送路１３１を逆方向に通過する各光信号を、内蔵する波長分離カプラによって合分波することで送受信する。ＯＮＵ１４１〜１４３は、一芯光伝送路１５１を逆方向に通過する各光信号を、内蔵する波長分離カプラによって合分波することで送受信する。
【０１１２】
図１１は、図１０に示した波長割当の具体例１を示す図である。図１１の符号１１０１〜１１０４に示すように、たとえば、各光信号の各波長をＣ−Ｂａｎｄ内で設定する。符号１１０１は、ＯＮＵ１４１〜１４３からＯＬＴ１２０へ送信される光信号（ＰＯＮのＵｐＬｉｎｋ）の波長割当を示している。符号１１０２は、ＯＬＴ１２０からＯＮＵ１４１〜１４３へ送信される光信号（ＰＯＮのＤｏｗｎＬｉｎｋ）の波長割当を示している。
【０１１３】
符号１１０３および符号１１０４は、ＳＯＮＥＴ送受信機８１２とＳＯＮＥＴ送受信機８４２の間でＳＯＮＥＴ方式で送受信される光信号の波長割当を示している。ここでは、符号１１０１、符号１１０３、符号１１０２、符号１１０４の順に短波長側となる波長割当となっている（符号１１０１が最も短い波長）。符号１１０１〜１１０４に示す各波長割当は、各波長を高密度に使用するＤＷＤＭ（Ｄｅｎｓｅ  ＷＤＭ）となっている。
【０１１４】
図１２は、図１０に示した波長割当の具体例２を示す図である。図１２において、図１１に示した部分と同様の部分は、同一の符号を付して説明を省略する。図１２の符号１１０３（１１０４）に示すように、ＳＯＮＥＴ送受信機８１２とＳＯＮＥＴ送受信機８４２の間でＳＯＮＥＴ方式で送受信される光信号の波長割当をＣ−Ｂａｎｄ内で設定する。
【０１１５】
また、符号１１０１および符号１１０２に示すように、ＰＯＮのＵｐＬｉｎｋと、ＰＯＮのＤｏｗｎＬｉｎｋと、の波長割当をＬ−Ｂａｎｄ内で設定する。ここでは、符号１１０３、符号１１０１、符号１１０２の順に短波長側となる波長割当である（符号１１０３が最も短い波長）。符号１１０１，１１０２，１１０３に示す各波長割当は、各波長を高密度に使用するＤＷＤＭとなっている。
【０１１６】
図１３は、図１０に示した波長割当の具体例３を示す図である。図１３において、図１１に示した部分と同様の部分については同一の符号を付して説明を省略する。図１３の符号１１０１，１１０３に示すように、ＰＯＮのＵｐＬｉｎｋと、ＳＯＮＥＴ送受信機８１２とＳＯＮＥＴ送受信機８４２の間でＳＯＮＥＴ方式で送受信される光信号と、の波長割当をＣ−Ｂａｎｄ内で設定する。
【０１１７】
また、符号１１０４および符号１１０２に示すように、ＰＯＮのＤｏｗｎＬｉｎｋと、ＳＯＮＥＴ送受信機８１２とＳＯＮＥＴ送受信機８４２の間でＳＯＮＥＴ方式で送受信される光信号と、の波長割当をＬ−Ｂａｎｄ内で設定する。ここでは、符号１１０３、符号１１０１、符号１１０４、符号１１０２の順に短波長側となる波長割当である（符号１１０３が最も短い波長）。符号１１０１，１１０２，１１０３，１１０４に示す各波長割当は、各波長を高密度に使用するＤＷＤＭとなっている。
【０１１８】
図１４は、図１０に示した波長割当の具体例４を示す図である。図１４において、図１１に示した部分と同様の部分については同一の符号を付して説明を省略する。図１４の符号１１０１，１１０２に示すように、ＰＯＮのＵｐＬｉｎｋと、ＰＯＮのＤｏｗｎＬｉｎｋと、をＤＷＤＭによって設定する。
【０１１９】
また、符号１１０３（１１０４）に示すように、ＳＯＮＥＴ送受信機８１２とＳＯＮＥＴ送受信機８４２の間でＳＯＮＥＴ方式で送受信される光信号の波長割当を、各波長を低密度に使用するＣＷＤＭ（Ｃｏａｒｓｅ  ＷＤＭ）によって設定する。ここでは、符号１１０１、符号１１０２、符号１１０３の順に短波長側となる波長割当となっている（符号１１０１が最も短い波長）。
【０１２０】
このように、実施の形態１にかかる光通信システム１００および光通信装置１３０，１５０によれば、光通信装置１３０は、二芯光伝送路１１０の第２芯１１２から光信号を分岐して一芯光伝送路１３１に通過させるとともに、ＯＬＴ１２０から送信されて一芯光伝送路１３１を通過した光信号を分岐して、第１芯１１１を介して送信することができる。
【０１２１】
また、光通信装置１５０は、二芯光伝送路１１０の第１芯１１１を介して送信された光信号を分岐し、分岐した光信号を一芯光伝送路１５１に通過させるとともに、ＯＮＵ１４１〜１４３から送信されて一芯光伝送路１５１を通過した光信号を第２芯を介して送信することができる。これにより、二芯光伝送路１１０を用いて、一芯双方向の通信を行うＯＬＴ１２０およびＯＮＵ１４１〜１４３の間で通信を行うことができる。
【０１２２】
このため、ネットワーク設計の柔軟性を向上させることができる。たとえば、ＳＯＮＥＴ方式の光通信システムに対して、ＰＯＮ方式の光通信装置をオーバーレイすることが可能になる。このため、既存のＳＯＮＥＴ方式の光通信システムのハードウェア資源を利用して、安価で伝送効率のよいＰＯＮ方式の通信を行うことができる。
【０１２３】
また、図８および図９に示したように、既存のＳＯＮＥＴ方式の光通信システムにおいて実現したＰＯＮ方式の光通信システムを、ＳＯＮＥＴ方式の光通信システムと混在させることも可能である。さらに、ＳＯＮＥＴ方式の光通信システムにおいて実現したＰＯＮ方式の光通信システムを、ＳＯＮＥＴ方式の光通信システムとシームレスに接続することも可能である。このため、ネットワーク設計の柔軟性をさらに向上させることができる。
【０１２４】
また、光通信装置１３０，１５０は、既存の挿入分岐ノードの構成をほとんど変更することなく実現することができる。たとえば、図２に示した光通信装置１３０は、既存の挿入分岐部１３２に、一芯光伝送路１３１および挿入分岐部１３３を接続し、増幅器２１２および増幅器２１５を設けるだけで実現することができる。また、上述したように、増幅器２１２および増幅器２１５は省略することも可能である。
【０１２５】
さらに具体的には、たとえば図３に示した光通信装置１３０は、従来は１×２カプラであった光カプラ３１５を２×２カプラとし、従来は２×１カプラであった光カプラ３６１を２×２カプラとし、光カプラ３６１を一芯光伝送路１３１および光カプラ３１５に接続するだけで実現することができる。このため、安価かつ簡単な構成により、ネットワーク設計の柔軟性をさらに向上させることができる。
【０１２６】
（実施の形態２）
図１５は、実施の形態２にかかる光通信システムの機能的構成を示すブロック図である。図１５において、図１に示した構成と同様の構成については同一の符号を付して説明を省略する。実施の形態２にかかる光通信システム１００の光通信装置１３０は、図１に示した光通信装置１３０の構成に加えて波長合分波部１５１１を備えている。また、実施の形態２にかかる光通信システム１００の光通信装置１５０は、図１に示した光通信装置１５０の構成に加えて波長合分波部１５２１を備えている。
【０１２７】
挿入分岐部１３２は、第２芯１１２から分岐した光信号を波長合分波部１５１１へ出力する。一芯光伝送路１３１は、ＯＬＴ１２０から送信された光信号を通過させて波長合分波部１５１１へ出力する。また、一芯光伝送路１３１は、波長合分波部１５１１から出力された光信号をＯＬＴ１２０へ送信する。
【０１２８】
波長合分波部１５１１は、一芯光伝送路１３１から出力された波長λ１の光信号を分波して挿入分岐部１３３（送信手段）へ出力する。また、波長合分波部１５１１は、挿入分岐部１３２（受信手段）から出力された波長λ２の光信号を合波して一芯光伝送路１３１へ出力する。挿入分岐部１３３は、波長合分波部１５１１から出力された光信号を第１芯１１１に挿入して光通信装置１５０へ送信する。
【０１２９】
挿入分岐部１５２は、第１芯１１１から分岐した光信号を波長合分波部１５２１へ出力する。一芯光伝送路１５１は、分岐部１４０から送信された光信号を通過させて波長合分波部１５２１へ出力する。また、一芯光伝送路１５１は、波長合分波部１５２１から出力された光信号を通過させて分岐部１４０へ送信する。
【０１３０】
波長合分波部１５２１は、一芯光伝送路１５１から出力された波長λ２の光信号を分波して挿入分岐部１５３（送信手段）へ出力する。また、波長合分波部１５２１は、挿入分岐部１５２（受信手段）から出力された波長λ１の光信号を合波して一芯光伝送路１５１へ出力する。挿入分岐部１５３は、波長合分波部１５２１から出力された光信号を第２芯１１２に挿入して光通信装置１３０へ送信する。
【０１３１】
図１６は、図１５に示した光通信システムの具体的な構成を示すブロック図である。図１６において、図２または図１５に示した構成と同様の構成については同一の符号を付して説明を省略する。図１６に示すように、光通信装置１３０は、図１５に示した光通信装置１３０の構成に加えて、増幅器２１１〜２１６と、多重分離部２２１，２２２と、多重化部２３１，２３２と、を備えている（図２の説明参照）。
【０１３２】
また、図１６に示す光通信装置１５０は、図１５に示した光通信装置１５０の構成に加えて、増幅器２４１〜２４６と、多重分離部２５１，２５２と、多重化部２６１，２６２と、を備えている（図２の説明参照）。
【０１３３】
図１７は、図１６に示した前段の光通信装置の具体例を示すブロック図である。図１７において、図３または図１６に示した構成と同様の構成については同一の符号を付して説明を省略する。図１７は、図１６に示した光通信装置１３０の多重分離部２２１および多重化部２３１の間の構成と、多重分離部２２２および多重化部２３２の間の構成と、の具体例を示している。ここでは、光通信装置１３０は、図１６に示した波長合分波部１５１１として、波長分離カプラ１７１１を備えている。
【０１３４】
一芯光伝送路１３１は、ＯＬＴ１２０から送信された光信号を通過させて波長分離カプラ１７１１へ出力するとともに、波長分離カプラ１７１１から出力された光信号をＯＬＴ１２０へ送信する。波長分離カプラ１７１１は、一芯光伝送路１３１から出力された波長λ１の光信号を分波して光カプラ３１５へ出力するとともに、光カプラ３６１から出力された波長λ２の光信号を合波して一芯光伝送路１３１へ出力する。
【０１３５】
多重分離部２２１および多重化部２３１の間には、光カプラ３１１〜３１５と、ＳＯＡアレイ３２０と、光カプラ３３１〜３３５と、が設けられている（図３の説明参照）。光カプラ３１５には、多重分離部２２１から出力された光信号と、波長分離カプラ１７１１から出力された光信号と、が入力される。
【０１３６】
多重分離部２２２および多重化部２３２の間には、光カプラ３４１〜３４５と、ＳＯＡアレイ３５０と、光カプラ３６１〜３６５と、が設けられている（図３の説明参照）。光カプラ３６１は、分岐した各光信号の一方を波長分離カプラ１７１１へ出力する。ここでは、一芯光伝送路１３１から出力された光信号は、波長分離カプラ１７１１によって分波されて光カプラ３１５へ出力されるため、光カプラ３６１には入力されない。
【０１３７】
図１８は、図１６に示した後段の光通信装置の具体例を示すブロック図である。図１８において、図４または図１６に示した構成と同様の構成については同一の符号を付して説明を省略する。図１８は、図１６に示した光通信装置１５０の多重分離部２５１および多重化部２６１の間の構成と、多重分離部２５２および多重化部２６２の間の構成と、の具体例を示している。光通信装置１３０は、図１６に示した波長合分波部１５２１として、波長分離カプラ１８１１を備えている。
【０１３８】
一芯光伝送路１５１は、分岐部１４０から送信された光信号を通過させて波長分離カプラ１８１１へ出力するとともに、波長分離カプラ１８１１から出力された光信号を通過させて分岐部１４０へ送信する。波長分離カプラ１８１１は、一芯光伝送路１５１から出力された波長λ２の光信号を分波して光カプラ４１１へ出力するとともに、光カプラ４６５から出力された波長λ１の光信号を合波して一芯光伝送路１５１へ出力する。
【０１３９】
多重分離部２５１および多重化部２６１の間には、光カプラ４１１〜４１５と、ＳＯＡアレイ４２０と、光カプラ４３１〜４３５と、が設けられている（図４の説明参照）。光カプラ４１１には、多重分離部２５１から出力された光信号と、波長分離カプラ１８１１から出力された光信号と、が入力される。
【０１４０】
多重分離部２５２および多重化部２６２の間には、光カプラ４４１〜４４５と、ＳＯＡアレイ４５０と、光カプラ４６１〜４６５と、が設けられている（図４の説明参照）。光カプラ４６５は、分岐した各光信号の一方を波長分離カプラ１８１１へ出力する。ここでは、一芯光伝送路１５１から出力された光信号は、波長分離カプラ１８１１によって取り出されて光カプラ４１１へ出力されるため、光カプラ４６５には入力されない。
【０１４１】
図１９は、図１７に示した光通信装置の変形例を示すブロック図である。図１９において、図１７に示した構成と同様の構成については同一の符号を付して説明を省略する。ＯＬＴ１２０とＯＮＵ１４１〜１４３の間で送受信される光信号のＯＳＮＲが十分に確保できる場合は、ＯＬＴ１２０とＯＮＵ１４１〜１４３の間で送受信される光信号がＳＯＡアレイ３２０およびＳＯＡアレイ３５０を経由しない構成にしてもよい。
【０１４２】
この場合は、光カプラ３３５が、図１６に示した挿入分岐部１３３となる。光カプラ３３５には、多重分離部２２１から出力された光信号と、波長分離カプラ１７１１から出力された光信号と、が入力される。光カプラ３３５は、入力された光信号を分岐して、分岐した各光の一方を多重化部２３１へ出力する（Ａｄｄ／Ｔｈｒｏｕｇｈ）。
【０１４３】
また、この場合は、光カプラ３４１が、図１６に示した挿入分岐部１３２となる。光カプラ３４１には、多重分離部２２２から出力された光信号が入力される。光カプラ３４１は、分岐した各光信号の一方を波長分離カプラ１７１１へ出力する。光カプラ３６１によって分岐された各光信号の他方は多重化部２３２へ出力される。
【０１４４】
ここでは、一芯光伝送路１３１から出力された光信号は、波長分離カプラ１７１１によって分波されて光カプラ３３５へ出力されるため、一芯光伝送路１３１から出力された光信号は光カプラ３４１には入力されない。図１９に示した構成では、光カプラ３１５は１×２の光カプラにしてもよい。また、光カプラ３６１は２×１の光カプラにしてもよい。
【０１４５】
図２０は、図１８に示した光通信装置の変形例を示すブロック図である。図２０において、図１８に示した構成と同様の構成については同一の符号を付して説明を省略する。ＯＬＴ１２０とＯＮＵ１４１〜１４３の間で送受信される光信号のＯＳＮＲが十分に確保できる場合は、ＯＬＴ１２０とＯＮＵ１４１〜１４３の間で送受信される光信号がＳＯＡアレイ４２０およびＳＯＡアレイ４５０を経由しない構成にしてもよい。
【０１４６】
この場合は、光カプラ４３１が、図１６に示した挿入分岐部１５３となる。光カプラ４３１には、ＳＯＡアレイ４２０のＳＯＡ４２１から出力された光信号と、波長分離カプラ１８１１から出力された光信号と、が入力される。光カプラ４３１は、入力された光信号を多重化部２６１へ出力する（Ａｄｄ／Ｔｈｒｏｕｇｈ）。
【０１４７】
ここでは、光カプラ４４５から出力された光信号は、波長分離カプラ１８１１によって分波されて一芯光伝送路１５１へ出力される。このため、光カプラ４４５から出力された光信号は光カプラ４３１には入力されない。
【０１４８】
また、この場合は、光カプラ４４５が、図１６に示した挿入分岐部１５２となる。光カプラ４４５は、入力された光信号を分岐して、分岐した各光信号の一方を波長分離カプラ１８１１へ出力し、分岐した各光信号の他方をＳＯＡ４５１へ出力する。光カプラ４４５からＳＯＡ４５１へ出力される光信号は、多重化部２６２によって遮断するとよい。
【０１４９】
たとえば多重化部２６２がＡＷＧである場合は、ＡＷＧの特性設計により、光カプラ４６５から出力される光信号の波長成分を出力しないようにする。図２０に示す構成においては、光カプラ４１１は１×２の光カプラにしてもよい。また、図２０に示す構成においては、光カプラ４６５は２×１の光カプラにしてもよい。
【０１５０】
図２１は、図１５に示した前段の光通信装置をＲＯＡＤＭに適用した例を示すブロック図である。図１５に示した前段の光通信装置１３０は、図２１に示すように、第１ＲＯＡＤＭ部２１１０と、第２ＲＯＡＤＭ部２１２０と、ＯＬＴ２１３１と、波長分離カプラ２１３２と、ＳＯＮＥＴ送受信機２１３３と、を備えている。
【０１５１】
第１ＲＯＡＤＭ部２１１０は、第１芯１１１に対する光信号の挿入および分岐を行う。第１ＲＯＡＤＭ部２１１０は、図１５に示した挿入分岐部１３３である。第１ＲＯＡＤＭ部２１１０は、増幅器２１１１と、光カプラ２１１２と、多重分離部２１１３と、多重化部２１１４と、波長選択スイッチ２１１５と、増幅器２１１６と、を備えている。
【０１５２】
増幅器２１１１は、光通信装置１３０の前段（図の左側）の光通信装置（不図示）から第１芯１１１を介して送信された光信号を受信して増幅する。増幅器２１１１は、増幅した光信号を光カプラ２１１２へ出力する。光カプラ２１１２および多重分離部２１１３は、二芯光伝送路１１０の第１芯１１１からの光信号の分岐（Ｄｒｏｐ）を行う。
【０１５３】
光カプラ２１１２は、増幅器２１１１から出力された光信号を複数の光信号に分岐する。光カプラ２１１２は、分岐した複数の光信号のうちの他の一つを多重分離部２１１３へ出力する。また、光カプラ２１１２は、分岐した複数の光信号のうちの一つを波長選択スイッチ２１１５へ出力する。多重分離部２１１３（Ｄｅｍｕｘ）は、光カプラ２１１２から出力された光信号を波長多重分離して外部へ出力する（Ｄｒｏｐ）。
【０１５４】
多重化部２１１４（Ｍｕｘ）は、ＳＯＮＥＴ送受信機２１３３、波長分離カプラ２１３２および外部から出力された各光信号を波長多重して波長選択スイッチ２１１５へ出力する。波長選択スイッチ２１１５（ＷＳＳ：Ｗａｖｅｌｅｎｇｔｈ  Ｓｅｌｅｃｔｉｖｅ  Ｓｗｉｔｃｈ）は、光カプラ２１１２から出力された光信号と、外部から入力される各光信号と、多重化部２１１４から出力された光信号と、を波長ごとに選択する。
【０１５５】
波長選択スイッチ２１１５は、選択した各波長の各光信号を波長多重して増幅器２１１６へ出力する。増幅器２１１６は、波長選択スイッチ２１１５から出力された光信号を増幅して、後段の光通信装置１５０（不図示）へ第１芯１１１を介して送信する。
【０１５６】
第２ＲＯＡＤＭ部２１２０は、第２芯１１２に対する光信号の挿入および分岐を行う。第２ＲＯＡＤＭ部２１２０は、図１５に示した挿入分岐部１３２である。第２ＲＯＡＤＭ部２１２０は、増幅器２１２１と、光カプラ２１２２と、多重分離部２１２３と、多重化部２１２４と、波長選択スイッチ２１２５と、増幅器２１２６と、を備えている。
【０１５７】
増幅器２１２１は、光通信装置１３０の後段（図の右側）の光通信装置１５０から第２芯１１２を介して送信された光信号を受信して増幅する。増幅器２１２１は、増幅した光信号を光カプラ２１２２へ出力する。光カプラ２１２２および多重分離部２１２３は、二芯光伝送路１１０の第２芯１１２からの光信号の分岐（Ｄｒｏｐ）を行う。
【０１５８】
光カプラ２１２２は、増幅器２１２１から出力された光信号を複数の光信号に分岐する。光カプラ２１２２は、分岐した複数の光信号のうちの一つを多重分離部２１２３へ出力し、分岐した複数の光信号のうちの他の一つを波長選択スイッチ２１２５へ出力する。多重分離部２１２３は、光カプラ２１２２から出力された光信号を波長多重分離する。
【０１５９】
多重分離部２１２３は、波長多重分離した各光信号のうちの、波長λ２（ＰＯＮのＵｐＬｉｎｋ）の光信号を波長分離カプラ２１３２へ出力する。また、多重分離部２１２３は、波長多重分離した各光信号のうちの、ＳＯＮＥＴ送受信機２１３３が用いる波長の光信号をＳＯＮＥＴ送受信機２１３３へ出力する。また、多重分離部２１２３は、波長多重分離した各光信号のうちの、波長分離カプラ２１３２またはＳＯＮＥＴ送受信機２１３３へ出力しない光信号を外部へ出力する（Ｄｒｏｐ）。
【０１６０】
多重化部２１２４は、外部から出力された各光信号を波長多重して波長選択スイッチ２１２５へ出力する。波長選択スイッチ２１２５は、光カプラ２１２２から出力された光信号と、外部から入力される各光信号と、多重化部２１２４から出力された光信号と、を波長ごとに選択し、選択した各波長の各光信号を波長多重して増幅器２１２６へ出力する。増幅器２１２６は、波長選択スイッチ２１２５から出力された光信号を増幅して光通信装置１３０の前段（図の左側）の光通信装置（不図示）へ送信する。
【０１６１】
ＯＬＴ２１３１は、図１５に示したＯＬＴ１２０である。ＯＬＴ２１３１は、光通信装置１３０の後段（図の右側）の光通信装置１５０に設けられたＯＮＵへ送信する光信号を、波長分離カプラ２１３２へ出力する。また、ＯＬＴ２１３１は、光通信装置１５０に設けられたＯＮＵから送信された光信号を波長分離カプラ２１３２から取得する。
【０１６２】
また、ＯＬＴ２１３１は、ＳＯＮＥＴ送受信機２１３３と電気配線によって接続されている。ＯＬＴ２１３１は、ＳＯＮＥＴ送受信機２１３３から出力された信号を、ＰＯＮ方式の光信号に変換し、光通信装置１５０に設けられたＯＮＵへ送信する光信号として波長分離カプラ２１３２へ出力してもよい。また、ＯＬＴ２１３１は、波長分離カプラ２１３２から取得した光信号に基づく信号をＳＯＮＥＴ送受信機２１３３へ出力してもよい。
【０１６３】
波長分離カプラ２１３２は、多重分離部２１２３から出力された波長λ２の光信号をＯＬＴ２１３１へ出力する。また、波長分離カプラ２１３２は、ＯＬＴ２１３１から出力された波長λ１の光信号を多重化部２１１４へ出力する。ＳＯＮＥＴ送受信機２１３３は、多重分離部２１２３から出力されたＳＯＮＥＴ方式の光信号を受信する。また、ＳＯＮＥＴ送受信機２１３３は、ＳＯＮＥＴ方式の光信号を多重化部２１１４へ出力する。
【０１６４】
また、ＳＯＮＥＴ送受信機２１３３は、受信した光信号に基づく信号をＯＬＴ２１３１へ出力してもよい。また、ＳＯＮＥＴ送受信機２１３３は、ＯＬＴ２１３１から出力された信号をＳＯＮＥＴ方式の光信号に変換して多重化部２１１４へ出力してもよい。ＯＬＴ２１３１とＳＯＮＥＴ送受信機２１３３の間の通信には各種方式を用いることができる。
【０１６５】
図２２は、図１５に示した後段の光通信装置をＲＯＡＤＭに適用した例を示すブロック図である。図１５に示した後段の光通信装置１５０は、図２２に示すように、第１ＲＯＡＤＭ部２２１０と、第２ＲＯＡＤＭ部２２２０と、ＯＮＵ２２３２と、波長分離カプラ２２３１と、を備えている。
【０１６６】
第１ＲＯＡＤＭ部２２１０は、第１芯１１１に対する光信号の挿入および分岐を行う。第１ＲＯＡＤＭ部２２１０は、図１５に示した挿入分岐部１５２である。第１ＲＯＡＤＭ部２２１０は、増幅器２２１１と、光カプラ２２１２と、多重分離部２２１３と、多重化部２２１４と、波長選択スイッチ２２１５と、増幅器２２１６と、を備えている。
【０１６７】
増幅器２２１１は、光通信装置１３０の前段（図の左側）の光通信装置（不図示）から送信された光信号を受信して増幅する。増幅器２２１１は、増幅した光信号を光カプラ２２１２へ出力する。光カプラ２２１２および多重分離部２２１３は、二芯光伝送路１１０の第１芯１１１からの光信号の分岐（Ｄｒｏｐ）を行う。
【０１６８】
光カプラ２２１２は、増幅器２２１１から出力された光信号を複数の光信号に分岐する。光カプラ２２１２は、分岐した複数の光信号のうちの一つを多重分離部２２１３へ出力し、分岐した複数の光信号のうちの他の一つを波長選択スイッチ２２１５へ出力する。多重分離部２２１３は、光カプラ２２１２から出力された光信号を波長多重分離する。
【０１６９】
多重分離部２２１３は、波長多重分離した各光信号のうちの、波長λ１（ＰＯＮのＤｏｗｎＬｉｎｋ）の光信号を波長分離カプラ２２３１へ出力する。また、多重分離部２２１３は、波長多重分離した各光信号のうちの、波長分離カプラ２２３１へ出力しない光信号を外部へ出力する（Ｄｒｏｐ）。
【０１７０】
多重化部２２１４は、外部から出力された各光信号を波長多重して波長選択スイッチ２２１５へ出力する。波長選択スイッチ２２１５は、光カプラ２２１２から出力された光信号と、外部から入力される各光信号と、多重化部２２１４から出力された光信号と、を波長ごとに選択し、選択した各波長の各光信号を波長多重して増幅器２２１６へ出力する。増幅器２２１６は、波長選択スイッチ２２１５から出力された光信号を増幅して光通信装置１５０の後段（図の右側）の光通信装置（不図示）へ送信する。
【０１７１】
第２ＲＯＡＤＭ部２２２０は、第２芯１１２に対する光信号の挿入および分岐を行う。第２ＲＯＡＤＭ部２２２０は、図１５に示した挿入分岐部１５３である。第２ＲＯＡＤＭ部２２２０は、増幅器２２２１と、光カプラ２２２２と、多重分離部２２２３と、多重化部２２２４と、波長選択スイッチ２２２５と、増幅器２２２６と、を備えている。
【０１７２】
増幅器２２２１は、光通信装置１３０の後段（図の右側）の光通信装置（不図示）から送信された光信号を受信して増幅する。増幅器２２２１は、増幅した光信号を光カプラ２２２２へ出力する。光カプラ２２２２および多重分離部２２２３は、二芯光伝送路１１０の第２芯１１２からの光信号の分岐（Ｄｒｏｐ）を行う。
【０１７３】
光カプラ２２２２は、増幅器２２２１から出力された光信号を複数の光信号に分岐する。光カプラ２２２２は、分岐した複数の光信号のうちの一つを多重分離部２２２３へ出力する。また、光カプラ２２２２は、分岐した複数の光信号のうちの他の一つを波長選択スイッチ２２２５へ出力する。多重分離部２２２３は、光カプラ２２２２から出力された光信号を波長多重分離して外部へ出力する（Ｄｒｏｐ）。
【０１７４】
多重化部２２２４は、波長分離カプラ２２３１および外部から出力された各光信号を波長多重して波長選択スイッチ２２２５へ出力する。波長選択スイッチ２２２５は、光カプラ２２２２から出力された光信号と、外部から入力される各光信号と、多重化部２２２４から出力された光信号と、を波長ごとに選択する。多重化部２２２４は、選択した各波長の各光信号を波長多重して増幅器２２２６へ出力する。
【０１７５】
増幅器２２２６は、波長選択スイッチ２２２５から出力された光信号を増幅して光通信装置１３０へ送信する。波長分離カプラ２２３１は、多重分離部２２１３から出力された波長λ１の光信号をＯＮＵ２２３２へ出力する。また、波長分離カプラ２２３１は、ＯＮＵ２２３２から出力された波長λ２の光信号を多重化部２２２４へ出力する。
【０１７６】
ＯＮＵ２２３２は、図１５に示したＯＮＵ１４１〜１４３のうちのいずれかである。ＯＮＵ２２３２は、光通信装置１５０の前段（図の左側）の光通信装置１３０に設けられたＯＬＴ２１３１（図２１参照）へ送信する光信号を、波長分離カプラ２２３１へ出力する。また、ＯＮＵ２２３２は、光通信装置１３０に設けられたＯＬＴ２１３１から送信された光信号を波長分離カプラ２２３１から取得する。
【０１７７】
図２３は、図１５に示した前段の光通信装置をｍｉｎｉＲＯＡＤＭに適用した例を示すブロック図である。図２３において、図２１に示した構成と同様の構成については同一の符号を付して説明を省略する。図２３に示すように、光通信装置１３０は、第１ＲＯＡＤＭ部２１１０と、第２ＲＯＡＤＭ部２１２０と、ＯＬＴ２１３１と、波長分離カプラ２１３２と、ＳＯＮＥＴ送受信機２１３３と、を備えている。
【０１７８】
第１ＲＯＡＤＭ部２１１０は、増幅器２１１１と、光カプラ２１１２と、多重分離部２１１３と、高密度多重分離部２３１１と、高密度多重化部２３１２と、多重分離部２３１３と、光スイッチ２３１４〜２３１６と、多重化部２３１７と、増幅器２１１６と、を備えている。増幅器２１１１は、増幅した光信号を光カプラ２１１２へ出力する。
【０１７９】
光カプラ２１１２、多重分離部２１１３および高密度多重分離部２３１１は、第１芯１１１からの光信号の分岐（Ｄｒｏｐ）を行う。光カプラ２１１２は、増幅器２１１１から出力された光信号を分岐する。光カプラ２１１２は、分岐した各光信号のうちの一方を多重分離部２１１３へ出力し、各光信号のうちの他方を多重分離部２３１３へ出力する。
【０１８０】
多重分離部２１１３は、光カプラ２１１２から出力された低密度の波長間隔の各光信号を波長多重分離する。多重分離部２１１３は、波長多重分離した各光信号のうちの一つを高密度多重分離部２３１１へ出力し、各光信号の他の光信号を外部へ出力する（Ｄｒｏｐ）。高密度多重分離部２３１１は、多重分離部２１１３から出力された光信号を高密度の波長間隔で波長多重分離し、波長多重分離した各光信号を外部へ出力する（Ｄｒｏｐ）。
【０１８１】
高密度多重化部２３１２は、ＳＯＮＥＴ送受信機２１３３および外部から出力された高密度の波長間隔の各光信号を波長多重して光スイッチ２３１４へ出力する。多重分離部２３１３は、光カプラ２１１２から出力された光信号を低密度の波長間隔で波長多重分離する。多重分離部２３１３は、波長多重分離した各光信号を多重化部２３１７へ出力する。
【０１８２】
多重分離部２３１３から出力される各光信号の各経路には、光スイッチ２３１４〜２３１６がそれぞれ設けられている。光スイッチ２３１４〜２３１６は、多重分離部２３１３から出力された光信号を多重化部２３１７へ出力し（Ｔｈｒｏｕｇｈ）、または、光スイッチ２３１４〜２３１６へ入力された光信号を多重化部２３１７へ出力する（Ａｄｄ）。
【０１８３】
光スイッチ２３１４は、多重分離部２３１３から出力された光信号と、高密度多重化部２３１２から出力された光信号と、のいずれかを選択して多重化部２３１７へ出力する。光スイッチ２３１６は、多重分離部２３１３から出力された光信号と、波長分離カプラ２１３２から出力された光信号と、のいずれかを選択して多重化部２３１７へ出力する。
【０１８４】
多重化部２３１７は、多重分離部２３１３または光スイッチ２３１４〜２３１６から出力された各光信号を低密度の波長間隔で波長多重する。多重化部２３１７は、波長多重した光信号を増幅器２１１６へ出力する。増幅器２１１６は、多重化部２３１７から出力された光信号を光通信装置１３０の後段の光通信装置１５０へ送信する。
【０１８５】
第２ＲＯＡＤＭ部２１２０は、増幅器２１２１と、光カプラ２１２２と、多重分離部２１２３と、高密度多重分離部２３２１と、高密度多重化部２３２２と、多重分離部２３２３と、光スイッチ２３２４〜２３２６と、多重化部２３２７と、増幅器２１２６と、を備えている。増幅器２１２１は、増幅した光信号を光カプラ２１２２へ出力する。
【０１８６】
光カプラ２１２２、多重分離部２１２３および高密度多重分離部２３２１は、第２芯１１２からの光信号の分岐（Ｄｒｏｐ）を行う。光カプラ２１２２は、増幅器２１２１から出力された光信号を分岐する。光カプラ２１２２は、分岐した各光信号のうちの一方を多重分離部２１２３へ出力して、各光信号のうちの他方を多重分離部２３２３へ出力する。
【０１８７】
多重分離部２１２３は、光カプラ２１２２から出力された光信号を低密度の波長間隔で波長多重分離する。多重分離部２１２３は、波長多重分離した各光信号のうちの、ＳＯＮＥＴ送受信機２１３３が用いる波長を含む帯域の光信号を高密度多重分離部２３２１へ出力する。また、多重分離部２１２３は、波長多重分離した各光信号のうちの、ＰＯＮのＵｐＬｉｎｋの波長λ２の光信号を波長分離カプラ２１３２へ出力する。また、多重分離部２１２３は、波長多重分離した各光信号のうちの、高密度多重分離部２３２１または波長分離カプラ２１３２へ出力しない光信号を外部へ出力する（Ｄｒｏｐ）。
【０１８８】
高密度多重分離部２３２１は、多重分離部２１２３から出力された光信号を高密度の波長間隔で波長多重分離する。高密度多重分離部２３２１は、波長多重分離した各光信号のうちの、ＳＯＮＥＴ送受信機２１３３が用いる波長の光信号をＳＯＮＥＴ送受信機２１３３へ出力する。また、高密度多重分離部２３２１は、波長多重分離した各光信号のうちの、ＳＯＮＥＴ送受信機２１３３へ出力しない光信号を外部へ出力する（Ｄｒｏｐ）。
【０１８９】
高密度多重化部２３２２は、外部から出力された高密度の波長間隔の各光信号を波長多重して、波長多重した光信号を光スイッチ２３２４へ出力する。多重分離部２３２３は、光カプラ２１２２から出力された光信号を低密度の波長間隔で波長多重分離する。多重分離部２３２３は、波長多重分離した各光信号を多重化部２３２７へ出力する。
【０１９０】
多重分離部２３２３から出力される各光信号の各経路には、光スイッチ２３２４〜２３２６がそれぞれ設けられている。光スイッチ２３２４〜２３２６は、多重分離部２３２３から出力された光信号を多重化部２３２７へ出力し（Ｔｈｒｏｕｇｈ）、または、光スイッチ２３２４〜２３２６へ入力された光信号を多重化部２３２７へ出力する（Ａｄｄ）。
【０１９１】
光スイッチ２３２４は、多重分離部２３２３から出力された光信号と、高密度多重化部２３２２から出力された光信号と、のいずれかを選択して多重化部２３２７へ出力する。多重化部２３２７は、多重分離部２３２３または光スイッチ２３２４〜２３２６から出力された各光信号を低密度の波長間隔で波長多重して増幅器２１２６へ出力する。
【０１９２】
波長分離カプラ２１３２は、ＯＬＴ２１３１から出力された波長λ１の光信号を光スイッチ２３１６へ出力する。ＳＯＮＥＴ送受信機２１３３は、高密度多重分離部２３２１から出力されたＳＯＮＥＴ方式の光信号を受信する。また、ＳＯＮＥＴ送受信機２１３３は、ＳＯＮＥＴ方式の光信号を高密度多重化部２３１２へ出力する。
【０１９３】
図２４は、図１５に示した後段の光通信装置をｍｉｎｉＲＯＡＤＭに適用した例を示すブロック図である。図２４において、図２２に示した構成と同様の構成については同一の符号を付して説明を省略する。図１５に示した後段の光通信装置１５０は、図２４に示すように、第２ＲＯＡＤＭ部２１２０と、第２ＲＯＡＤＭ部２１２０と、波長分離カプラ２２３１と、ＯＮＵ２２３２と、を備えている。
【０１９４】
第１ＲＯＡＤＭ部２１１０は、増幅器２２１１と、光カプラ２２１２と、多重分離部２２１３と、高密度多重分離部２４１１と、高密度多重化部２４１２と、多重分離部２４１３と、光スイッチ２４１４〜２４１６と、多重化部２４１７と、増幅器２２１６と、を備えている。増幅器２２１１は、増幅した光信号を光カプラ２２１２へ出力する。
【０１９５】
光カプラ２２１２、多重分離部２２１３および高密度多重分離部２４１１は、第１芯１１１からの光信号の分岐（Ｄｒｏｐ）を行う。光カプラ２２１２は、増幅器２２１１から出力された光信号を分岐する。光カプラ２２１２は、分岐した各光信号のうちの一方を多重分離部２２１３へ出力して、各光信号のうちの他方を多重分離部２４１３へ出力する。
【０１９６】
多重分離部２２１３は、光カプラ２２１２から出力された光信号を低密度の波長間隔で波長多重分離する。多重分離部２２１３は、波長多重分離した各光信号のうちの、ＰＯＮのＤｏｗｎＬｉｎｋの波長λ１の光信号を波長分離カプラ２２３１へ出力する。また、多重分離部２２１３は、波長多重分離した各光信号のうちの、波長分離カプラ２２３１へ出力しない光信号を外部へ出力する（Ｄｒｏｐ）。
【０１９７】
高密度多重分離部２４１１は、多重分離部２２１３から出力された光信号を高密度の波長間隔で波長多重分離して、波長多重分離した各光信号を外部へ出力する（Ｄｒｏｐ）。高密度多重化部２４１２は、外部から出力された高密度の波長間隔の各光信号を波長多重して光スイッチ２４１４へ出力する。多重分離部２４１３は、光カプラ２２１２から出力された光信号を低密度の波長間隔で波長多重分離する。
【０１９８】
多重分離部２４１３は、波長多重分離した各光信号を多重化部２４１７へ出力する。多重分離部２４１３から出力される各光信号の各経路には、光スイッチ２４１４〜２４１６がそれぞれ設けられている。光スイッチ２４１４〜２４１６は、多重分離部２４１３から出力された光信号を多重化部２４１７へ出力し（Ｔｈｒｏｕｇｈ）、または、光スイッチ２４１４〜２４１６へ入力された光信号を多重化部２４１７へ出力する（Ａｄｄ）。
【０１９９】
光スイッチ２４１４は、多重分離部２４１３から出力された光信号と、高密度多重化部２４１２から出力された光信号と、のいずれかを選択して多重化部２４１７へ出力する。多重化部２４１７は、多重分離部２４１３または光スイッチ２４１４〜２４１６から出力された各光信号を低密度の波長間隔で波長多重して増幅器２２１６へ出力する。
【０２００】
第２ＲＯＡＤＭ部２２２０は、増幅器２２２１と、光カプラ２２２２と、多重分離部２２２３と、高密度多重分離部２４２１と、高密度多重化部２４２２と、多重分離部２４２３と、光スイッチ２４２４〜２４２６と、多重化部２４２７と、増幅器２２２６と、を備えている。増幅器２２２１は、増幅した光信号を光カプラ２２２２へ出力する。
【０２０１】
光カプラ２２２２、多重分離部２２２３および高密度多重分離部２４２１は、第２芯１１２からの光信号の分岐（Ｄｒｏｐ）を行う。光カプラ２２２２は、増幅器２２２１から出力された光信号を分岐する。光カプラ２２２２は、分岐した各光信号のうちの一方を多重分離部２２２３へ出力して、各光信号のうちの他方を多重分離部２４２３へ出力する。
【０２０２】
多重分離部２２２３は、光カプラ２２２２から出力された光信号を低密度の波長間隔で波長多重分離する。多重分離部２２２３は、波長多重分離した各光信号のうちの一つを高密度多重分離部２４２１へ出力して、各光信号の他の光信号を外部へ出力する（Ｄｒｏｐ）。高密度多重分離部２４２１は、多重分離部２２２３から出力された光信号を高密度の波長間隔で波長多重分離し、波長多重分離した各光信号を外部へ出力する（Ｄｒｏｐ）。
【０２０３】
高密度多重化部２４２２は、外部から出力された高密度の波長間隔の各光信号を波長多重して光スイッチ２４２４へ出力する。多重分離部２４２３は、光カプラ２２２２から出力された光信号を低密度の波長間隔で波長多重分離する。多重分離部２４２３は、波長多重分離した各光信号を多重化部２４２７へ出力する。
【０２０４】
多重分離部２４２３から出力される各光信号の各経路には、光スイッチ２４２４〜２４２６がそれぞれ設けられている。光スイッチ２４２４〜２４２６は、多重分離部２４２３から出力された光信号を多重化部２４２７へ出力し（Ｔｈｒｏｕｇｈ）、または、光スイッチ２４２４〜２４２６へ入力された光信号を多重化部２４２７へ出力する（Ａｄｄ）。
【０２０５】
光スイッチ２４２４は、多重分離部２４２３から出力された光信号と、高密度多重化部２４２２から出力された光信号と、のいずれかを選択して多重化部２４２７へ出力する。光スイッチ２４２６は、多重分離部２４２３から出力された光信号と、波長分離カプラ２２３１から出力された光信号と、のいずれかを選択して多重化部２４２７へ出力する。
【０２０６】
多重化部２４２７は、多重分離部２４２３または光スイッチ２４２４〜２４２６から出力された各光信号を低密度の波長間隔で波長多重して、波長多重した光信号を増幅器２２２６へ出力する。波長分離カプラ２２３１は、多重分離部２２１３から出力された波長λ１の光信号をＯＮＵ２２３２へ出力する。また、波長分離カプラ２２３１は、ＯＮＵ２２３２から出力された波長λ２の光信号を光スイッチ２４２６へ出力する。
【０２０７】
図２５は、図２１に示した光通信装置の変形例を示すブロック図である。図２５において、図２１に示した構成と同様の構成については同一の符号を付して説明を省略する。光通信装置１３０は、図２１に示した光通信装置１３０の構成に加えて、ＯＬＴ２５１１と、波長分離カプラ２５１２と、ＳＯＮＥＴ送受信機２５１３と、を備えている。
【０２０８】
多重分離部２１１３は、波長多重分離した各光信号のうちの、波長λ２（ＰＯＮのＵｐＬｉｎｋ）の光信号を波長分離カプラ２５１２へ出力する。また、多重分離部２１１３は、波長多重分離した各光信号のうちの、ＳＯＮＥＴ送受信機２５１３が用いる波長の光信号をＳＯＮＥＴ送受信機２５１３へ出力する。
【０２０９】
また、多重分離部２１１３は、波長多重分離した各光信号のうちの、波長分離カプラ２５１２またはＳＯＮＥＴ送受信機２５１３へ出力しない光信号を外部へ出力する（Ｄｒｏｐ）。多重化部２１２４は、ＳＯＮＥＴ送受信機２５１３、波長分離カプラ２５１２および外部から出力された各光信号を波長多重して波長選択スイッチ２１２５へ出力する。
【０２１０】
ＯＬＴ２５１１は、光通信装置１３０の前段（図の左側）の光通信装置（不図示）に設けられたＯＮＵへ送信する波長λ１の光信号を、波長分離カプラ２５１２へ出力する。また、ＯＬＴ２５１１は、光通信装置１３０の前段の光通信装置に設けられたＯＮＵへ送信された波長λ２の光信号を、波長分離カプラ２５１２から取得する。
【０２１１】
また、ＯＬＴ２５１１は、ＳＯＮＥＴ送受信機２５１３と電気配線によって接続されている。ＯＬＴ２５１１は、ＳＯＮＥＴ送受信機２５１３から出力された信号を、ＰＯＮ方式の光信号に変換して、光通信装置１５０に設けられたＯＮＵへ送信する光信号として波長分離カプラ２５１２へ出力してもよい。また、ＯＬＴ２５１１は、波長分離カプラ２５１２から取得した光信号に基づく信号をＳＯＮＥＴ送受信機２５１３へ出力してもよい。
【０２１２】
波長分離カプラ２５１２は、多重分離部２１１３から出力された波長λ２の光信号をＯＬＴ２５１１へ出力する。また、波長分離カプラ２５１２は、ＯＬＴ２５１１から出力された波長λ１の光信号を多重化部２１２４へ出力する。ＳＯＮＥＴ送受信機２５１３は、多重分離部２１１３から出力されたＳＯＮＥＴ方式の光信号を受信する。また、ＳＯＮＥＴ送受信機２５１３は、ＳＯＮＥＴ方式の光信号を多重化部２１２４へ出力する。
【０２１３】
また、ＳＯＮＥＴ送受信機２５１３は、受信した光信号に基づく信号をＯＬＴ２５１１へ出力してもよい。また、ＳＯＮＥＴ送受信機２５１３は、ＯＬＴ２５１１から出力された信号をＳＯＮＥＴ方式の光信号に変換して多重化部２１２４へ出力してもよい。また、ＳＯＮＥＴ送受信機２５１３は、ＳＯＮＥＴ送受信機２１３３と通信を行ってもよい。
【０２１４】
図２６は、図２２に示した光通信装置の変形例を示すブロック図である。図２６において、図２２に示した構成と同様の構成については同一の符号を付して説明を省略する。図２６に示す光通信装置１５０は、図２２に示した光通信装置１３０の構成に加えて、波長分離カプラ２６１１と、ＯＮＵ２６１２と、を備えている。
【０２１５】
多重化部２２１４は、外部から出力された各光信号と、波長分離カプラ２６１１から出力された光信号と、を波長多重して波長選択スイッチ２２１５へ出力する。多重分離部２２２３は、波長多重分離した各光信号のうちの波長λ１（ＰＯＮのＤｏｗｎＬｉｎｋ）の光信号を波長分離カプラ２６１１へ出力し、他の光信号を外部へ出力する（Ｄｒｏｐ）。
【０２１６】
波長分離カプラ２６１１は、多重分離部２２２３から出力された波長λ１の光信号をＯＮＵ２６１２へ出力する。また、波長分離カプラ２６１１は、ＯＮＵ２６１２から出力された波長λ２の光信号を多重化部２２１４へ出力する。
【０２１７】
ＯＮＵ２６１２は、光通信装置１５０の後段（図の右側）の光通信装置（不図示）に設けられたＯＬＴへ送信する波長λ２の光信号を、波長分離カプラ２６１１へ出力する。また、ＯＮＵ２６１２は、光通信装置１５０の後段の光通信装置に設けられたＯＬＴから送信された波長λ１の光信号を波長分離カプラ２６１１から取得する。
【０２１８】
図２７は、図２３に示した光通信装置の変形例を示すブロック図である。図２７において、図２３または図２５に示した構成と同様の構成については同一の符号を付して説明を省略する。図２７に示すように、光通信装置１３０は、図２３に示した光通信装置１３０の構成に加えて、ＯＬＴ２５１１と、波長分離カプラ２５１２と、ＳＯＮＥＴ送受信機２５１３と、を備えている。
【０２１９】
高密度多重化部２３２２は、ＳＯＮＥＴ送受信機２５１３および外部から出力された高密度の波長間隔の各光信号を波長多重して光スイッチ２３２４へ出力する。光スイッチ２３２６は、多重分離部２３２３から出力された光信号と、波長分離カプラ２５１２から出力された光信号と、のいずれかを選択して多重化部２３２７へ出力する。
【０２２０】
多重分離部２１１３は、波長多重分離した各光信号のうちの、ＳＯＮＥＴ送受信機２５１３が用いる波長を含む帯域の光信号を高密度多重分離部２３１１へ出力する。また、多重分離部２１１３は、波長多重分離した各光信号のうちの、ＰＯＮのＵｐＬｉｎｋの波長λ２の光信号を波長分離カプラ２５１２へ出力する。また、多重分離部２１１３は、波長多重分離した各光信号のうちの、高密度多重分離部２３１１または波長分離カプラ２５１２へ出力しない光信号を外部へ出力する（Ｄｒｏｐ）。
【０２２１】
波長分離カプラ２５１２は、ＯＬＴ２５１１から出力された波長λ１の光信号を光スイッチ２３２６へ出力する。ＳＯＮＥＴ送受信機２５１３は、高密度多重分離部２３１１から出力されたＳＯＮＥＴ方式の光信号を受信する。また、ＳＯＮＥＴ送受信機２５１３は、ＳＯＮＥＴ方式の光信号を高密度多重化部２３２２へ出力する。
【０２２２】
図２８は、図２４に示した光通信装置の変形例を示すブロック図である。図２８において、図２４または図２６に示した構成と同様の構成については同一の符号を付して説明を省略する。図２８に示すように、光通信装置１５０は、図２４に示した光通信装置１５０の構成に加えて、波長分離カプラ２６１１と、ＯＮＵ２６１２と、を備えている。
【０２２３】
光スイッチ２４１６は、多重分離部２４１３から出力された光信号と、波長分離カプラ２６１１から出力された光信号と、のいずれかを選択して多重化部２４１７へ出力する。多重分離部２２２３は、波長多重分離した各光信号のうちの、ＰＯＮのＤｏｗｎＬｉｎｋの波長λ１の光信号を波長分離カプラ２６１１へ出力する。
【０２２４】
また、多重分離部２２２３は、波長多重分離した各光信号のうちの、波長分離カプラ２６１１へ出力しない光信号を外部へ出力する（Ｄｒｏｐ）。波長分離カプラ２６１１は、ＯＮＵ２６１２から出力された波長λ２の光信号を光スイッチ２４１６へ出力する。
【０２２５】
図２９は、図２７に示した光通信装置の変形例を示すブロック図である。図２９において、図２７に示した構成と同様の構成については同一の符号を付して説明を省略する。図２９に示す光通信装置２９００は、図２７に示した光通信装置１３０を２つと、波長分離カプラ２９１１〜２９１４と、を備えている。
【０２２６】
光通信装置２９００が備える２つの光通信装置１３０のうちの一方を光通信装置１３０Ａとし、他方を光通信装置１３０Ｂとする。波長分離カプラ２９１１は、光通信装置２９００の前段（図の左側）の光通信装置（不図示）から第１芯１１１を介して受信した光信号を、Ｃ−Ｂａｎｄの光信号と、Ｌ−Ｂａｎｄの光信号と、に分離する。
【０２２７】
波長分離カプラ２９１１は、分離したＣ−Ｂａｎｄの光信号を光通信装置１３０Ａへ出力する。また、波長分離カプラ２９１１は、分離したＬ−Ｂａｎｄの光信号を光通信装置１３０Ｂへ出力する。光通信装置１３０Ａの増幅器２１１１および光通信装置１３０Ｂの増幅器２１１１は、それぞれ波長分離カプラ２９１１から出力された光信号を増幅する。
【０２２８】
光通信装置１３０Ａの増幅器２１１６および光通信装置１３０Ｂの増幅器２１１６は、それぞれ増幅した光信号を波長分離カプラ２９１２へ出力する。波長分離カプラ２９１２は、光通信装置１３０Ａの増幅器２１１６および光通信装置１３０Ｂの増幅器２１１６から出力された各光信号を合波する。波長分離カプラ２９１２は、合波した光信号を、光通信装置２９００の後段（図の右側）の光通信装置１５０へ送信する。
【０２２９】
波長分離カプラ２９１３は、光通信装置２９００の後段（図の右側）の光通信装置１５０から第２芯１１２を介して受信した光信号を、Ｃ−Ｂａｎｄの光信号と、Ｌ−Ｂａｎｄの光信号と、に分離する。波長分離カプラ２９１３は、分離したＣ−Ｂａｎｄの光信号を光通信装置１３０Ａへ出力するとともに、分離したＬ−Ｂａｎｄの光信号を光通信装置１３０Ｂへ出力する。光通信装置１３０Ａの増幅器２１２１および光通信装置１３０Ｂの増幅器２１２１は、それぞれ波長分離カプラ２９１３から出力された光信号を増幅する。
【０２３０】
光通信装置１３０Ａの増幅器２１２６および光通信装置１３０Ｂの増幅器２１２６は、それぞれ増幅した光信号を波長分離カプラ２９１４へ出力する。波長分離カプラ２９１４は、光通信装置１３０Ａの増幅器２１２６および光通信装置１３０Ｂの増幅器２１２６から出力された各光信号を合波する。波長分離カプラ２９１４は、合波した光信号を、光通信装置２９００の前段（図の左側）の光通信装置（不図示）へ送信する。
【０２３１】
図２９に示した構成によれば、光信号をＣ−ＢａｎｄとＬ−Ｂａｎｄに分離し、それぞれ光通信装置１３０Ａおよび光通信装置１３０Ｂによって処理することができる。このため、光通信装置１３０Ａおよび光通信装置１３０Ｂのそれぞれにおいて、各種増幅器や多重分離部、多重化部などの部品において必要な帯域を狭くすることができる。このため、各種増幅器や多重分離部、多重化部などの部品を安価に設けることができる。
【０２３２】
ここでは、光通信装置２９００が、図２７に示した光通信装置１３０を２つ備える構成について説明したが、図２７に示した光通信装置１３０に代えて、上述した各種の光通信装置１３０を設けてもよい。また、図２７に示した光通信装置１３０に代えて、上述した各種の光通信装置１５０を設けてもよい。
【０２３３】
このように、実施の形態２にかかる光通信システム１００および光通信装置１３０，１５０によれば、光通信装置１３０は、一芯光伝送路１３１を通過した波長λ１の光信号を分波して二芯光伝送路１１０の第１芯１１１から送信するとともに、第２芯１１２から受信した波長λ２の光信号を一芯光伝送路１３１に通過させることができる。
【０２３４】
また、光通信装置１５０は、一芯光伝送路１５１を通過した波長λ２の光信号を分波して二芯光伝送路１１０の第２芯１１２から送信するとともに、第１芯１１１から受信した波長λ１の光信号を一芯光伝送路１５１に通過させることができる。これにより、二芯光伝送路１１０を用いて、一芯双方向の通信を行うＯＬＴ１２０およびＯＮＵ１４１〜１４３の間で通信を行うことができる。
【０２３５】
このため、実施の形態１にかかる光通信システム１００および光通信装置１３０，１５０の効果を奏するとともに、一芯光伝送路１３１および二芯光伝送路１１０の接続を波長合分波部１５１１によって行うことで、一芯光伝送路１３１および二芯光伝送路１１０の接続を光カプラなどで行う構成と比べて、光信号のロスを少なくすることができる。
【０２３６】
また、一芯光伝送路１５１および二芯光伝送路１１０の接続を波長合分波部１５２１によって行うことで、一芯光伝送路１５１および二芯光伝送路１１０の接続を光カプラなどで行う構成と比べて、光信号のロスを少なくすることができる。このため、ＯＬＴ１２０およびＯＮＵ１４１〜１４３の間の通信品質を向上させることができる。
【０２３７】
（実施の形態３）
図３０は、実施の形態３にかかる光通信システムの機能的構成を示すブロック図である。図３０において、図５に示した構成と同様の構成については同一の符号を付して説明を省略する。実施の形態３にかかる光通信システム１００の光通信装置１３０は、図１５に示した光通信装置１３０の波長合分波部１５１１に代えて光サーキュレータ３０１１を備えている。また、光通信装置１５０は、図１５に示した光通信装置１５０の波長合分波部１５２１に代えて光サーキュレータ３０２１を備えている。
【０２３８】
挿入分岐部１３２は、第２芯１１２から分岐した光信号を光サーキュレータ３０１１へ出力する。一芯光伝送路１３１は、ＯＬＴ１２０から送信された光信号を通過させて光サーキュレータ３０１１へ出力する。また、一芯光伝送路１３１は、光サーキュレータ３０１１から出力された光信号をＯＬＴ１２０へ送信する。
【０２３９】
光サーキュレータ３０１１は、一芯光伝送路１３１から出力された光信号を挿入分岐部１３３へ出力する。また、光サーキュレータ３０１１は、挿入分岐部１３２から出力された光信号を一芯光伝送路１３１へ出力する。挿入分岐部１３３は、光サーキュレータ３０１１から出力された光信号を第１芯１１１に挿入して光通信装置１５０へ送信する。
【０２４０】
挿入分岐部１５２は、第１芯１１１から分岐した光信号を光サーキュレータ３０２１へ出力する。一芯光伝送路１５１は、分岐部１４０から送信された光信号を通過させて光サーキュレータ３０２１へ出力する。また、一芯光伝送路１５１は、光サーキュレータ３０２１から出力された光信号を通過させて分岐部１４０へ送信する。
【０２４１】
光サーキュレータ３０２１は、一芯光伝送路１５１から出力された光信号を挿入分岐部１５３へ出力する。また、光サーキュレータ３０２１は、挿入分岐部１５２から出力された光信号を一芯光伝送路１５１へ出力する。挿入分岐部１５３は、光サーキュレータ３０２１から出力された光信号を第２芯１１２に挿入して光通信装置１３０へ送信する。
【０２４２】
図３１は、図３０に示した光通信システムの具体的な構成を示すブロック図である。図３１において、図２または図３０に示した構成と同様の構成については同一の符号を付して説明を省略する。図３１に示すように、光通信装置１３０は、図３０に示した光通信装置１３０の構成に加えて、増幅器２１１〜２１６と、多重分離部２２１，２２２と、多重化部２３１，２３２と、を備えている（図２の説明参照）。
【０２４３】
図３２は、図３１に示した前段の光通信装置の具体例を示すブロック図である。図３２において、図３または図３１に示した構成と同様の構成については同一の符号を付して説明を省略する。図３２は、図３１に示した光通信装置１３０の多重分離部２２１および多重化部２３１の間の構成と、多重分離部２２２および多重化部２３２の間の構成と、の具体例を示している。
【０２４４】
光サーキュレータ３０１１は、一芯光伝送路１３１から出力された光信号を光カプラ３１５へ出力する。また、光サーキュレータ３０１１は、光カプラ３６１から出力された光信号を一芯光伝送路１３１へ出力する。
【０２４５】
多重分離部２２１および多重化部２３１の間には、光カプラ３１１〜３１５と、ＳＯＡアレイ３２０と、光カプラ３３１〜３３５と、が設けられている（図３の説明参照）。光カプラ３１５には、多重分離部２２１から出力された光信号と、光サーキュレータ３０１１から出力された光信号と、が入力される。
【０２４６】
多重分離部２２２および多重化部２３２の間には、光カプラ３４１〜３４５と、ＳＯＡアレイ３５０と、光カプラ３６１〜３６５と、が設けられている（図３の説明参照）。光カプラ３６１は、分岐した各光信号の一方を光サーキュレータ３０１１へ出力する。ここでは、一芯光伝送路１３１から出力された光信号は、光サーキュレータ３０１１によって分離されて光カプラ３１５へ出力されるため、光カプラ３６１には入力されない。
【０２４７】
図３３は、図３１に示した後段の光通信装置の具体例を示すブロック図である。図３３において、図４または図３１に示した構成と同様の構成については同一の符号を付して説明を省略する。図３３は、図３１に示した光通信装置１５０の多重分離部２５１および多重化部２６１の間の構成と、多重分離部２５２および多重化部２６２の間の構成と、の具体例を示している。
【０２４８】
光サーキュレータ３０２１は、一芯光伝送路１５１から出力された光信号を分波して光カプラ４１１へ出力する。また、光サーキュレータ３０２１は、光カプラ４６５から出力された光信号を一芯光伝送路１５１へ出力する。
【０２４９】
多重分離部２５１および多重化部２６１の間には、光カプラ４１１〜４１５と、ＳＯＡアレイ４２０と、光カプラ４３１〜４３５と、が設けられている（図４の説明参照）。光カプラ４１１には、多重分離部２５１から出力された光信号と、光サーキュレータ３０２１から出力された光信号と、が入力される。
【０２５０】
多重分離部２５２および多重化部２６２の間には、光カプラ４４１〜４４５と、ＳＯＡアレイ４５０と、光カプラ４６１〜４６５と、が設けられている（図４の説明参照）。光カプラ４６５は、分岐した各光信号の一方を光サーキュレータ３０２１へ出力する。ここでは、一芯光伝送路１５１から出力された光信号は、光サーキュレータ３０２１によって分離されて光カプラ４１１へ出力されるため、光カプラ４６５には入力されない。
【０２５１】
図３４は、図３２に示した光通信装置の変形例を示すブロック図である。図３４において、図３２に示した構成と同様の構成については同一の符号を付して説明を省略する。ＯＬＴ１２０とＯＮＵ１４１〜１４３の間で送受信される光信号のＯＳＮＲが十分に確保できる場合は、ＯＬＴ１２０とＯＮＵ１４１〜１４３の間で送受信される光信号がＳＯＡアレイ３２０およびＳＯＡアレイ３５０を経由しない構成にしてもよい。
【０２５２】
この場合は、光カプラ３３５が、図３１に示した挿入分岐部１３３となる。光カプラ３３５には、多重分離部２２１から出力された光信号と、光サーキュレータ３０１１から出力された光信号と、が入力される。光カプラ３３５は、入力された光信号を分岐して、分岐した各光の一方を多重化部２３１へ出力する（Ａｄｄ／Ｔｈｒｏｕｇｈ）。
【０２５３】
また、この場合は、光カプラ３４１が、図３１に示した挿入分岐部１３２となる。光カプラ３４１には、多重分離部２２２から出力された光信号が入力される。光カプラ３４１は、分岐した各光信号の一方を光サーキュレータ３０１１へ出力する。光カプラ３４１によって分岐された各光信号の他方はＳＯＡ３５１へ出力される。
【０２５４】
ここでは、一芯光伝送路１３１から出力された光信号は、光サーキュレータ３０１１によって光カプラ３３５へ出力されるため、一芯光伝送路１３１から出力された光信号は光カプラ３４１には入力されない。図３４に示す構成においては、光カプラ３１５は１×２の光カプラにしてもよい。また、光カプラ３６１は２×１の光カプラにしてもよい。
【０２５５】
図３５は、図３３に示した光通信装置の変形例を示すブロック図である。図３５において、図３３に示した構成と同様の構成については同一の符号を付して説明を省略する。ＯＬＴ１２０とＯＮＵ１４１〜１４３の間で送受信される光信号のＯＳＮＲが十分に確保できる場合は、ＯＬＴ１２０とＯＮＵ１４１〜１４３の間で送受信される光信号がＳＯＡアレイ４２０およびＳＯＡアレイ４５０を経由しない構成にしてもよい。
【０２５６】
この場合は、光カプラ４３１が、図３１に示した挿入分岐部１５３となる。光カプラ４３１には、ＳＯＡアレイ４２０のＳＯＡ４２１から出力された光信号と、光サーキュレータ３０２１から出力された光信号と、が入力される。光カプラ４３１は、入力された光信号を多重化部２６１へ出力する（Ａｄｄ／Ｔｈｒｏｕｇｈ）。
【０２５７】
ここでは、光カプラ４４５から出力された光信号は、光サーキュレータ３０２１によって分離されて一芯光伝送路１５１へ出力されるため、光カプラ４４５から出力された光信号は光カプラ４３１には入力されない。
【０２５８】
また、この場合は、光カプラ４４５が、図３１に示した挿入分岐部１５２となる。光カプラ４４５は、入力された光信号を分岐して、分岐した各光信号の一方を光サーキュレータ３０２１へ出力する。図３５に示す構成においては、光カプラ４１１は１×２の光カプラにしてもよい。また、光カプラ４６５は２×１の光カプラにしてもよい。
【０２５９】
このように、実施の形態３にかかる光通信システム１００および光通信装置１３０，１５０によれば、光通信装置１３０は、光サーキュレータ３０１１によって、一芯光伝送路１３１を通過した光信号を分離して第１芯１１１から送信するとともに、第２芯１１２から受信した波長λ２の光信号を一芯光伝送路１３１に通過させることができる。
【０２６０】
また、光通信装置１５０は、光サーキュレータ３０２１によって、一芯光伝送路１５１を通過した光信号を分離して第２芯１１２から送信するとともに、第１芯１１１から受信した光信号を一芯光伝送路１５１に通過させることができる。これにより、二芯光伝送路１１０を用いて、一芯双方向の通信を行うＯＬＴ１２０およびＯＮＵ１４１〜１４３の間で通信を行うことができる。
【０２６１】
このため、実施の形態１にかかる光通信システム１００および光通信装置１３０，１５０の効果を奏するとともに、一芯光伝送路１３１および二芯光伝送路１１０の接続を光サーキュレータ３０１１によって行うことで、一芯光伝送路１３１および二芯光伝送路１１０の接続を光カプラなどで行う構成と比べて、光信号のロスを少なくすることができる。
【０２６２】
また、一芯光伝送路１５１および二芯光伝送路１１０の接続を光サーキュレータ３０２１によって行うことで、一芯光伝送路１５１および二芯光伝送路１１０の接続を光カプラなどで行う構成と比べて、光信号のロスを少なくすることができる。このため、ＯＬＴ１２０およびＯＮＵ１４１〜１４３の間の通信品質を向上させることができる。
【０２６３】
以上説明したように、開示の光通信装置および光通信システムによれば、ネットワーク設計の柔軟性を向上させることができる。
【０２６４】
なお、上述した各実施の形態においては、ＳＯＮＥＴ方式の光通信システムにおいて、ＰＯＮ方式の光通信システムを実現する場合について説明したが、通信方式についてはこれらに限られない。上述した各実施の形態にかかる光通信システム１００および光通信装置１３０，１５０は、二芯光伝送路を用いた光通信システムに対して、一芯双方向の方式の光通信システムをオーバーレイする場合の全般に応用することができる。上述した実施の形態に関し、さらに以下の付記を開示する。
【０２６５】
（付記１）二芯光伝送路によって他の光通信装置と接続された光通信装置において、
一芯双方向の通信を行う光送受信機から送信された光信号と、前記光送受信機へ送信された光信号と、をそれぞれ逆方向に通過させる一芯光伝送路と、
前記光送受信機から送信されて前記一芯光伝送路を通過した光信号を、前記二芯光伝送路の一方の芯を介して前記他の光通信装置へ送信する送信手段と、
前記二芯光伝送路の他方の芯を介して前記他の光通信装置から前記光送受信機へ送信された光信号を受信し、受信した光信号を前記一芯光伝送路に通過させる受信手段と、
を備えることを特徴とする光通信装置。
【０２６６】
（付記２）前記受信手段は、前記二芯光伝送路の他方の芯を介して送信された光信号を分岐して前記一芯光伝送路に通過させるとともに、前記光送受信機から送信されて前記一芯光伝送路を通過した光信号を分岐する第１挿入分岐手段であり、
前記送信手段は、前記第１挿入分岐手段によって分岐された光信号を前記一方の芯へ挿入する第２挿入分岐手段であることを特徴とする付記１に記載の光通信装置。
【０２６７】
（付記３）前記受信手段は、前記二芯光伝送路の他方の芯を介して送信された光信号を分岐する第１挿入分岐手段であり、
前記送信手段は、前記第１挿入分岐手段によって分岐された光信号を分岐して前記一芯光伝送路に通過させるとともに、前記光送受信機から送信されて前記一芯光伝送路を通過した光信号を前記一方の芯へ挿入する第２挿入分岐手段であることを特徴とする付記１に記載の光通信装置。
【０２６８】
（付記４）前記光送受信機から送信された光信号の第１波長と、前記光送受信機へ送信された光信号の第２波長と、は互いに異なる波長であり、
前記一芯光伝送路を通過した第１波長の光信号を分波して前記送信手段に送信させるとともに、前記受信手段によって受信された第２波長の光信号を前記一芯光伝送路に通過させる波長合分波手段を備えることを特徴とする付記１に記載の光通信装置。
【０２６９】
（付記５）前記一芯光伝送路を通過した光信号を前記送信手段に送信させるとともに、前記受信手段によって受信された光信号を前記一芯光伝送路に通過させる光サーキュレータを備えることを特徴とする付記１に記載の光通信装置。
【０２７０】
（付記６）前記光送受信機は、前記他の光通信装置に接続された複数の加入者端末と通信を行う収容局であることを特徴とする付記１〜５のいずれか一つに記載の光通信装置。
【０２７１】
（付記７）前記光送受信機は、前記他の光通信装置に接続された収容局と通信を行う複数の加入者端末であり、
前記一芯光伝送路は、前記複数の加入者端末と分岐接続されていることを特徴とする付記１〜５のいずれか一つに記載の光通信装置。
【０２７２】
（付記８）前記他の通信装置から送信されて前記一芯光伝送路を通過した光信号を分岐させて前記複数の加入者端末へ送信するとともに、前記複数の加入者端末から送信された各光信号を合流させて前記一芯光伝送路に通過させる分岐合流手段を備えることを特徴とする付記７に記載の光通信装置。
【０２７３】
（付記９）付記６に記載の光通信装置と、
付記７または８に記載の光通信装置と、を備え、
前記収容局と前記加入者端末との間で通信を行うことを特徴とする光通信システム。
【０２７４】
（付記１０）前記収容局と前記加入者端末との間でＰＯＮ（Ｐａｓｓｉｖｅ  Ｏｐｔｉｃａｌ  Ｎｅｔｗｏｒｋ）方式の通信を行うことを特徴とする付記９に記載の光通信システム。
【０２７５】
（付記１１）前記二芯光伝送路は、ＳＯＮＥＴ／ＳＤＨ（Ｓｙｎｃｈｒｏｎｏｕｓ  Ｏｐｔｉｃａｌ  ＮＥＴｗｏｒｋ／Ｓｙｎｃｈｒｏｎｏｕｓ  Ｄｉｇｉｔａｌ  Ｈｉｅｒａｒｃｈｙ）方式のネットワークの光伝送路であることを特徴とする付記９または１０に記載の光通信システム。
【図面の簡単な説明】
【０２７６】
【図１】実施の形態１にかかる光通信システムの機能的構成を示すブロック図である。
【図２】図１に示した光通信システムの具体的な構成を示すブロック図である。
【図３】図２に示した前段の光通信装置の具体例を示すブロック図である。
【図４】図２に示した後段の光通信装置の具体例を示すブロック図である。
【図５】図３に示した光通信装置の変形例を示すブロック図である。
【図６】図４に示した光通信装置の変形例を示すブロック図である。
【図７】図１に示した光通信システムの変形例を示すブロック図である。
【図８】実施の形態１にかかる光通信システムの実施例を示すブロック図である。
【図９】図８に示した光通信システムの一部の詳細を示すブロック図である。
【図１０】ＯＬＴとＯＮＵの間で送受信する各光信号の波長割当を示す図である。
【図１１】図１０に示した波長割当の具体例１を示す図である。
【図１２】図１０に示した波長割当の具体例２を示す図である。
【図１３】図１０に示した波長割当の具体例３を示す図である。
【図１４】図１０に示した波長割当の具体例４を示す図である。
【図１５】実施の形態２にかかる光通信システムの機能的構成を示すブロック図である。
【図１６】図１５に示した光通信システムの具体的な構成を示すブロック図である。
【図１７】図１６に示した前段の光通信装置の具体例を示すブロック図である。
【図１８】図１６に示した後段の光通信装置の具体例を示すブロック図である。
【図１９】図１７に示した光通信装置の変形例を示すブロック図である。
【図２０】図１８に示した光通信装置の変形例を示すブロック図である。
【図２１】図１５に示した前段の光通信装置をＲＯＡＤＭに適用した例を示すブロック図である。
【図２２】図１５に示した後段の光通信装置をＲＯＡＤＭに適用した例を示すブロック図である。
【図２３】図１５に示した前段の光通信装置をｍｉｎｉＲＯＡＤＭに適用した例を示すブロック図である。
【図２４】図１５に示した後段の光通信装置をｍｉｎｉＲＯＡＤＭに適用した例を示すブロック図である。
【図２５】図２１に示した光通信装置の変形例を示すブロック図である。
【図２６】図２２に示した光通信装置の変形例を示すブロック図である。
【図２７】図２３に示した光通信装置の変形例を示すブロック図である。
【図２８】図２４に示した光通信装置の変形例を示すブロック図である。
【図２９】図２７に示した光通信装置の変形例を示すブロック図である。
【図３０】実施の形態３にかかる光通信システムの機能的構成を示すブロック図である。
【図３１】図３０に示した光通信システムの具体的な構成を示すブロック図である。
【図３２】図３１に示した前段の光通信装置の具体例を示すブロック図である。
【図３３】図３１に示した後段の光通信装置の具体例を示すブロック図である。
【図３４】図３２に示した光通信装置の変形例を示すブロック図である。
【図３５】図３３に示した光通信装置の変形例を示すブロック図である。
【符号の説明】
【０２７７】
１００，８００  光通信システム
１１０，８０１  二芯光伝送路
１１１  第１芯
１１２  第２芯
１３０，１３０Ａ，１３０Ｂ，１５０，２９００  光通信装置
１３１，１５１  一芯光伝送路
１４０，８２４，８３４，８５４，８６４  分岐部
２１１〜２１６，２４１〜２４６，２１１１，２１１６，２１２１，２１２６，２２１１，２２１６，２２２１，２２２６  増幅器
２２１，２２２，２５１，２５２，２１１３，２１２３，２２１３，２２２３，２３１３，２３２３，２４１３，２４２３  多重分離部
２３１，２３２，２６１，２６２，２１１４，２１２４，２２１４，２２２４，２３１７，２３２７，２４１７，２４２７  多重化部
３１１〜３１５，３３１〜３３５，３４１〜３４５，３６１〜３６５，４１１〜４１５，４３１〜４３５，４４１〜４４５，４６１〜４６５，２１１２，２１２２，２２１２，２２２２  光カプラ
３２０，３５０，４２０，４５０  ＳＯＡアレイ
３２１，３５１，４２１，４５１  ＳＯＡ
８１０，８２０，８３０，８４０，８５０，８６０  挿入分岐ノード
８１２，８４２，２１３３，２５１３  ＳＯＮＥＴ送受信機
８７０  ＳＯＮＥＴネットワーク
１００１，１００２  波長帯域
１００３  未使用波長
１７１１，１８１１，２１３２，２２３１，２５１２，２６１１，２９１１〜２９１４  波長分離カプラ
２１１５，２１２５，２２１５，２２２５  波長選択スイッチ
２１１０，２２１０  第１ＲＯＡＤＭ部
２１２０，２２２０  第２ＲＯＡＤＭ部
２３１１，２３２１，２４１１，２４２１  高密度多重分離部
２３１２，２３２２，２４１２，２４２２  高密度多重化部
２３１４〜２３１６，２３２４〜２３２６，２４１４〜２４１６，２４２４〜２４２６  光スイッチ
３０１１，３０２１  光サーキュレータ
【図１】
0005092895.tif 000002
【図２】
0005092895.tif 000003
【図３】
0005092895.tif 000004
【図４】
0005092895.tif 000005
【図５】
0005092895.tif 000006
【図６】
0005092895.tif 000007
【図７】
0005092895.tif 000008
【図８】
0005092895.tif 000009
【図９】
0005092895.tif 000010
【図１０】
0005092895.tif 000011
【図１１】
0005092895.tif 000012
【図１２】
0005092895.tif 000013
【図１３】
0005092895.tif 000014
【図１４】
0005092895.tif 000015
【図１５】
0005092895.tif 000016
【図１６】
0005092895.tif 000017
【図１７】
0005092895.tif 000018
【図１８】
0005092895.tif 000019
【図１９】
0005092895.tif 000020
【図２０】
0005092895.tif 000021
【図２１】
0005092895.tif 000022
【図２２】
0005092895.tif 000023
【図２３】
0005092895.tif 000024
【図２４】
0005092895.tif 000025
【図２５】
0005092895.tif 000026
【図２６】
0005092895.tif 000027
【図２７】
0005092895.tif 000028
【図２８】
0005092895.tif 000029
【図２９】
0005092895.tif 000030
【図３０】
0005092895.tif 000031
【図３１】
0005092895.tif 000032
【図３２】
0005092895.tif 000033
【図３３】
0005092895.tif 000034
【図３４】
0005092895.tif 000035
【図３５】
0005092895.tif 000036